(57)【要約】【課題】封入メダルを所定の検出位置を通過可能に封入状態で保持するメダル保持手段の設計変更を容易に行うことができる技術を提供する。【解決手段】封入メダルＭを担持するメダル担持体１１０に被検出片１１２が設けられているため、メダル担持体１１０が、固定部材１２０が有する複数の取付部のうちのいずれかに取着されることにより、封入メダルＭを固定部材１２０上の任意の位置に配置することができ、固定部材１２０に取着されるメダル担持体１１０の個数を変化させることにより、メダル保持手段１０２により保持される封入メダルＭの枚数を変化させることができるので、封入メダルＭを所定の検出位置Ｐ１，Ｐ２を通過可能に封入状態で保持するメダル保持手段１０２の設計変更を容易に行うことができる。【選択図】図４
2015204955.tif 000002
【特許請求の範囲】
【請求項１】
封入メダルを用いた疑似投入が行われて所定条件が成立すると、各々複数個の図柄が配列された複数の回転リールが回転を開始し、ストップスイッチの操作により前記各回転リールを停止させて、停止図柄の表示結果に応じて前記封入メダルを用いた疑似払出を行うスロットマシンが備えるメダル検出装置において、
少なくとも１枚の封入メダルを、所定の検出位置を通過可能に封入状態で保持するメダル保持手段と、
前記メダル保持手段を駆動して前記封入メダルに前記検出位置を通過させる駆動制御手段と、
前記検出位置を通過する前記封入メダルを検出してメダル検出信号を出力するメダル検出手段と、
前記メダル検出信号から、前記検出位置を前記封入メダルが通過した回数を計数するメダル計数手段とを備え、
前記メダル保持手段は、
１枚の前記封入メダルを担持する少なくとも１個のメダル担持体と、
前記メダル担持体が着脱自在に取着される複数の取付部を有する固定部材と、
前記メダル担持体に設けられて前記メダル検出手段により検出される被検出片とを有し、
前記固定部材が前記駆動制御手段により駆動されて前記メダル担持体に担持された前記封入メダルが前記検出位置を通過する際に前記被検出片が前記メダル検出手段に検出されて前記メダル検出信号が出力される
ことを特徴とするメダル検出装置。
【請求項２】
前記メダル担持体にフック体が設けられ、前記固定部材に前記複数の取付部として複数の孔が形成されて、前記フック体が前記孔に挿入されて前記メダル担持体が前記固定部材に取着されることを特徴とする請求項１に記載のメダル検出装置。
【請求項３】
前記フック体が前記被検出片として機能し、
前記メダル検出手段は、前記孔に一方側から挿入されて他方側から突出する前記フック体を検出することを特徴とする請求項２に記載のメダル検出装置。
【発明の詳細な説明】
【技術分野】
【０００１】
本発明は、封入メダルを用いた疑似投入と疑似払出とが行われるスロットマシンが備えるメダル検出装置に関する。
【背景技術】
【０００２】
従来、遊技毎のメダル投入の煩わしさを解消するために、予めメダル投入口に所定枚数（例えば５０枚）までメダルを投入し、メダルの投入枚数をメモリ等の記憶手段に格納することにより筐体内にメダルをデータとして貯留（クレジットメダル）しておき、記憶手段に格納されているクレジットメダル数から所定枚数分のデータをボタン操作で引き落として賭け数を設定することにより、メダル投入操作を行わないで遊技を行うことができるクレジット機能を備えるスロットマシンが提供されている。しかしながら、クレジット機能を利用する場合に、遊技毎にメダル投入口にメダルを投入する手間を省くことができる一方で、メダル貸出機からメダルが貸し出された際に、メダル投入口にメダルを１枚ずつ投入しなければならないので煩わしいという問題がある。
【０００３】
この問題を解決するために、現金が投入された、もしくは、プリペイドカードが挿入されたメダル貸出機からの信号で、直接、記憶手段に格納されているクレジットメダル数を加算する方法が考えられる。しかしながら、法規制により、スロットマシンの遊技は必ずメダルを介して行わなければならないので、この方法を実際に採用することができない。
【０００４】
したがって、次のようなメダル検出装置が提案されている。すなわち、例えば特許文献１に記載のスロットマシンでは、その筐体内に、一方の主面にメダルを保持するための凹部が等間隔で３個形成された円盤状のメダル保持手段を備えるメダル検出装置が配設されている。そして、各凹部それぞれにメダルが配置されることにより、３個のメダルがメダル保持手段により保持される。また、メダル保持手段により保持された各メダルは、それぞれ、取り出しができないように各凹部内に封入されている（以下、スロットマシンの筐体内に封入されているメダルを「封入メダル」と称する）。
【０００５】
また、メダル保持手段は、その円盤状の中心を回転中心として、パルスモータ等の駆動手段により回転駆動されるように構成されている。そして、円盤状のメダル保持手段が駆動手段により回転駆動されることによって、メダル保持手段の各凹部内に保持された各封入メダルが円周状に設定された所定経路を通るように移動する。また、各封入メダルが通る所定経路において、予め設定された所定の検出位置を封入メダルが通過したことがメダル検出用のセンサにより検出される。
【０００６】
そして、メダル貸出機に現金が投入される、もしくは、プリペイドカードが挿入されると、それらの金額に応じた信号がメダル貸出機からスロットマシンの駆動手段に出力されて、駆動手段によりメダル保持手段が回転駆動される。そして、メダル保持手段に保持された各封入メダルが、予め設定された所定の検出位置を通過した回数が、記憶手段に格納されているクレジットメダル数に加算される。したがって、所定経路を移動する封入メダルが予め設定された所定の検出位置を通過したことがセンサにより検出されてクレジットメダル数が加算されるので、メダルを介して遊技を行うという法規制による条件を満足すると共に、メダルを貯留する際のメダル投入の煩わしさを解消することができる。
【０００７】
また、上記したスロットマシンのクレジット機能では、記憶手段に格納されているクレジットメダル数から所定枚数分のデータをボタン操作で引き落とすことによりメダルを介さずに遊技を行うことができる。そのため、記憶手段が記憶することができるクレジットメダル数の上限枚数（例えば５０枚）が法規制により厳しく制限されており、入賞することによりクレジットメダル数の上限枚数を超える枚数のメダルが払い出される場合には、超過分のメダルはスロットマシンの受け皿に払い出される。したがって、遊技者が払い出されたメダルを利用して遊技を行えるように、上記したスロットマシンでは、メダル投入口にメダルを１枚ずつ投入しても遊技を行うことができるように構成されている。
【先行技術文献】
【特許文献】
【０００８】
【特許文献１】特開２００５−２７９０１２号公報（請求項１、段落００１２〜００１９、図１〜図６、要約書など）。
【発明の概要】
【発明が解決しようとする課題】
【０００９】
近年、メダル投入の煩わしさを低減したり、偽造メダル対策などのセキュリティの向上を図り、メダルに関連する不正を予防することを目的として、メダルをスロットマシンの筐体内に封入することにより、遊技者がメダルに一切触れることなく遊技をすることが可能な、所謂、封入式のスロットマシンが要望されている。封入式のスロットマシンでは、例えば、次のようにして遊技が行われる。すなわち、封入式のスロットマシンでは、上記したようなメダル検出装置を用いて、メダル保持手段に保持された各封入メダルが、予め設定された所定の検出位置を通過した回数が、疑似投入または疑似払出されたメダル枚数として計数される。
【００１０】
具体的には、メダル検出装置を用いて、筐体内の封入メダルを用いた疑似投入が行われて所定条件が成立すると、各々複数個の図柄が配列された複数の回転リールが回転を開始する。そして、ストップスイッチの操作により各回転リールを停止させて、停止図柄の表示結果に応じて、上記したメダル検出装置を用いて、封入メダルを用いた疑似払出が行われる。
【００１１】
なお、上記したメダル検出装置では、例えば次のようにして封入メダルが所定の検出位置を通過したことが検出される。すなわち、メダル検出装置は、メダル保持手段に保持された各封入メダルが所定の検出位置を通過したことを検出するための円盤状の検知用ディスクを備えている。円盤状の検知用ディスクは、円盤状のメダル保持手段の回転軸に、メダル保持手段と一緒に同軸で回転するように連結されている。
【００１２】
また、検知用ディスクには、円盤状のメダル保持手段上での各封入メダルの配置位置に対応する位置に被検出片が設けられている。また、各封入メダルが所定の検出位置を通過したことを検出するためのセンサは、発光部および検出部を有し、発光部と検出部との間を検知用ディスクに設けられた被検出片が通過するように配設されることにより、通常状態では、発光部の光が検出部に届くようになっている。そして、円盤状のメダル保持手段が回転することにより検知用ディスクが一緒に回転することによって、検知用ディスクに設けられた被検出片がセンサの位置を通過すると、検出部に届いていた発光部の光が被検出片により遮断される。したがって、被検出片が発光部と検出部との間を通過したことが検出部により検出される。
【００１３】
また、メダル保持手段に保持された各封入メダルが所定の検出位置を通過するタイミングで、検知用ディスクの被検出片がセンサの位置を通過するように、被検出片の検知用ディスク上での配置位置およびセンサの配置位置が設定されている。したがって、所定の検出位置を通過する封入メダルを、検知用ディスク（被検出片）を介してセンサにより検出することができる。
【００１４】
ところで、メダル保持手段により保持される封入メダルの枚数や、各封入メダルのメダル保持手段上での配置位置を変更する場合に、次のような問題が生じる。すなわち、メダル保持手段により保持される封入メダルの枚数や、各封入メダルのメダル保持手段上での配置位置を変更すると、各封入メダルが所定の検出位置を通過したことを検出するための検知用ディスクの構成も一緒に変更しなければならない。したがって、メダル保持手段により保持される封入メダルの枚数や、各封入メダルのメダル保持手段上での配置位置を簡単に変更することができないという問題があった。
【００１５】
本発明は、上記課題に鑑みてなされたものであり、封入メダルを所定の検出位置を通過可能に封入状態で保持するメダル保持手段の設計変更を容易に行うことができる技術を提供することを目的とする。
【課題を解決するための手段】
【００１６】
上記目的を達成するために、本発明にかかるメダル検出装置は、封入メダルを用いた疑似投入が行われて所定条件が成立すると、各々複数個の図柄が配列された複数の回転リールが回転を開始し、ストップスイッチの操作により前記各回転リールを停止させて、停止図柄の表示結果に応じて前記封入メダルを用いた疑似払出を行うスロットマシンが備えるメダル検出装置において、少なくとも１枚の封入メダルを、所定の検出位置を通過可能に封入状態で保持するメダル保持手段と、前記メダル保持手段を駆動して前記封入メダルに前記検出位置を通過させる駆動制御手段と、前記検出位置を通過する前記封入メダルを検出してメダル検出信号を出力するメダル検出手段と、前記メダル検出信号から、前記検出位置を前記封入メダルが通過した回数を計数するメダル計数手段とを備え、前記メダル保持手段は、１枚の前記封入メダルを担持する少なくとも１個のメダル担持体と、前記メダル担持体が着脱自在に取着される複数の取付部を有する固定部材と、前記メダル担持体に設けられて前記メダル検出手段により検出される被検出片とを有し、前記固定部材が前記駆動制御手段により駆動されて前記メダル担持体に担持された前記封入メダルが前記検出位置を通過する際に前記被検出片が前記メダル検出手段に検出されて前記メダル検出信号が出力されることを特徴としている（請求項１）。
【００１７】
また、前記メダル担持体にフック体が設けられ、前記固定部材に前記複数の取付部として複数の孔が形成されて、前記フック体が前記孔に挿入されて前記メダル担持体が前記固定部材に取着されるようにするとよい（請求項２）。
【００１８】
また、前記フック体が前記被検出片として機能し、前記メダル検出手段は、前記孔に一方側から挿入されて他方側から突出する前記フック体を検出するとよい（請求項３）。
【発明の効果】
【００１９】
請求項１の発明によれば、封入メダルを封入状態で保持するメダル保持手段が駆動制御手段により駆動されることによって、メダル保持手段に保持された封入メダルが所定の検出位置を通過する。そして、所定の検出位置を封入メダルが通過したことがメダル検出手段により検出されてメダル検出信号が出力され、メダル検出信号から、所定の検出位置を封入メダルが通過した回数がメダル計数手段により計数される。また、メダル保持手段は、１枚の封入メダルを担持する少なくとも１個のメダル担持体を備えており、メダル担持体にはメダル検出手段により検出される被検出片が設けられている。また、メダル担持体は、メダル保持手段が備える固定部材が備える複数の取付部のいずれかに着脱自在に取着されることにより、固定部材上の任意の位置に配置される。そして、固定部材が駆動制御手段により駆動されてメダル担持体に担持された封入メダルが所定の検出位置を通過する際に、被検出片がメダル検出手段に検出されてメダル検出信号が出力される。
【００２０】
そのため、メダル検出手段は、メダル担持体に設けられた被検出片を検出することにより、封入メダルが所定の検出位置を通過したことを検出することができるので、従来の検知用ディスクのような封入メダル検出用の部材を別途用意する必要がない。また、封入メダルを担持するメダル担持体に被検出片が設けられており、メダル担持体が固定部材が有する各取付部のいずれに取着されたとしても、封入メダルと被検出片との配置関係が変化するおそれがない。したがって、封入メダルを担持するメダル担持体が、各取付部のうちから任意に選択された取付部に取着されることにより、封入メダルを固定部材上の任意の位置に配置することができ、固定部材に取着されるメダル担持体の個数を変化させることにより、メダル保持手段により保持される封入メダルの枚数を変化させることができるので、封入メダルを所定の検出位置を通過可能に封入状態で保持するメダル保持手段の設計変更を容易に行うことができる。
【００２１】
請求項２の発明によれば、固定部材に複数の取付部として複数の孔が形成されて、メダル担持体に設けられたフック体が固定部材の孔に挿入されることにより、メダル担持体が固定部材に取着されるので、ワンタッチで簡単にメダル担持体を固定部材の孔が形成された位置に取着することができる。
【００２２】
請求項３の発明によれば、メダル担持体に設けられたフック体が被検出片として機能し、固定部材の孔に一方側から挿入されて他方側に突出するフック体がメダル検出手段により検出される。したがって、メダル担持体を固定部材に取着するためのフック体を被検出片として機能させることにより、被検出片を別途メダル担持体に設ける必要がないので、メダル保持手段の簡素化を図り、メダル検出装置の製造コストの低減を図ることができる。
【図面の簡単な説明】
【００２３】
【図１】本発明の第１実施形態にかかる封入式のスロットマシンを備えるスロットマシンシステムを示す図である。
【図２】スロットマシンの正面図である。
【図３】スロットマシンの電気的構成を示すブロック図である。
【図４】投入・払出装置を示す図であって、（ａ）は正面図、（ｂ）は裏面図である。
【図５】図４の投入・払出装置の下面図である。
【図６】図４の投入・払出装置が備えるメダル担持体を示す図であって、（ａ）は正面図、（ｂ）は下面図、（ｃ）は左側面図、（ｄ）は右側面図である。
【図７】は図４の投入・払出装置が備える固定部材を示す図であって、（ａ）は裏面図、（ｂ）は（ａ）の右側面図である。
【図８】投入・払出装置のメダル保持手段の使用例の一例を示す図であって、（ａ）は裏面図、（ｂ）は（ａ）の右側面図である。
【図９】投入・払出装置のメダル保持手段の使用例の一例を示す図であって、（ａ）は裏面図、（ｂ）は（ａ）の右側面図である。
【図１０】投入・払出装置のメダル保持手段の使用例の一例を示す図であって、（ａ）は裏面図、（ｂ）は（ａ）の右側面図である。
【図１１】投入・払出装置のメダル保持手段の使用例の一例を示す図であって、（ａ）は裏面図、（ｂ）は（ａ）の右側面図である。
【図１２】投入・払出装置のメダル保持手段の使用例の一例を示す図であって、（ａ）は裏面図、（ｂ）は（ａ）の右側面図である。
【図１３】スロットマシンにおいて遊技が行われる際の各部の状態を示す状態遷移図である。
【図１４】貸出・返却処理を示すフローチャートである。
【図１５】貸出・返却処理を示すフローチャートである。
【図１６】メイン制御処理を示すフローチャートである。
【図１７】メイン制御処理を示すフローチャートである。
【図１８】最大ベット処理を示すフローチャートである。
【図１９】ベット処理を示すフローチャートである。
【図２０】投入精算処理を示すフローチャートである。
【図２１】払出処理を示すフローチャートである。
【図２２】本発明の第２実施形態にかかる投入・払出装置を示す図であって、（ａ）は正面図、（ｂ）は右側面図である。
【図２３】図２２の投入・払出装置が備えるメダル担持体を示す図であって、（ａ）は正面図、（ｂ）は下面図、（ｃ）は左側面図、（ｄ）は右側面図である。
【図２４】は図２２の投入・払出装置が備える固定部材を示す図であって、（ａ）は正面図、（ｂ）は（ａ）の右側面図である。
【図２５】投入・払出装置のメダル保持手段の使用例の一例を示す図であって、（ａ）は正面図、（ｂ）は（ａ）の右側面図である。
【図２６】投入・払出装置のメダル保持手段の使用例の他の例を示す図であって、（ａ）〜（ｄ）それぞれは異なる使用例を示す図である。
【図２７】本発明の第３実施形態にかかる投入・払出装置のメダル担持体の下面図である。
【図２８】本発明の第４実施形態にかかる封入式のスロットマシンを備えるスロットマシンシステムを示す図である。
【発明を実施するための形態】
【００２４】
＜第１実施形態＞
本発明の第１実施形態について、図１〜図２１を参照して説明する。
【００２５】
（スロットマシンシステム）
まず、スロットマシンシステムについて図１を参照して説明する。図１は本発明の第１実施形態にかかる封入式のスロットマシンを備えるスロットマシンシステムを示す図である。
【００２６】
図１に示すように、スロットマシンシステムは、封入式のスロットマシン１とメダル貸出ユニット２００とを備えている。スロットマシン１では、メダル貸出ユニット２００から枚数データの形式で遊技者に貸し出されるメダルが疑似投入されることにより賭け数が設定されて遊技が実行される。
【００２７】
また、本実施の形態では、スロットマシンシステムにおいて、遊技に使用可能なメダル枚数に関する枚数データはメダル貸出ユニット２００に保持されている。そして、後で詳細に説明するように、スロットマシン１にメダルが疑似投入されて所定枚数分の賭け数が設定されると、メダル貸し出しユニット２００に保持されている遊技に使用可能なメダル枚数に関する枚数データから、賭け数である所定枚数分の枚数データが減算される。また、入賞することによりスロットマシン１から遊技者に対して所定の利益として所定の払出枚数のメダルが付与される場合には、本実施の形態では、メダルが払い出される代わりに、メダル貸し出しユニット２００に保持される遊技に使用可能なメダル枚数に関する枚数データに、所定の払出枚数分の枚数データが加算されることにより、遊技者にメダルが疑似払出される。以下では、まず、メダル貸出ユニット２００について詳細に説明した後に、スロットマシン１について詳細に説明する。
【００２８】
（メダル貸出ユニット）
図１に示すように、メダル貸出ユニット２００は、遊技に使用可能なメダルを枚数データの形式で遊技者に貸し出すものであり、メダル枚数表示装置２１０、現金残高表示装置２１１、メダルカード装置２２０、現金カード装置２３０、ユニット制御装置２４０を備えている。
【００２９】
メダル枚数表示装置２１０は、ユニット制御装置２４０において保持されている枚数データに基づいて、遊技に使用可能なメダル枚数を表示するものである。メダル枚数表示装置２１０は、複数の７セグメントＬＥＤ（図示省略）により構成されたり、液晶表示器（図示省略）により構成される。
【００３０】
現金残高表示装置２１１は、メダルを借り受けるためにメダル貸出ユニット２００（現金カード装置２３０）に投入された現金の残高を表示するものである。現金残高表示装置２１１は、複数の７セグメントＬＥＤ（図示省略）により構成されたり、液晶表示器（図示省略）により構成される。
【００３１】
メダルカード装置２２０は、ＩＣカード等により形成されたメダルカード（図示省略）が排出されるものであり、メダルの枚数データをメダルカードに記録するものである。なお、メダルカードにメダルの枚数データを記録する際に、記録される枚数データに基づくメダル枚数を視認することができるようにメダルカードの表面にメダル枚数が表示されるようにしてもよい。
【００３２】
現金カード装置２３０は、メダル貸出ユニット２００からメダルを借り受けるために紙幣等の現金が投入されたり、ＩＣカード等により形成された現金カード（図示省略）が挿入されるものであり、遊技者により投入された現金や現金カードを検出する。また、現金カードは、メダルを借り受けるために現金カード装置２３０に投入された現金の残高が記録されるものであり、無記録状態の複数の現金カードが予め現金カード装置２３０に内蔵されている。
【００３３】
そして、遊技を開始するために現金が現金カード装置２３０に投入されると、無記録状態の複数の現金カードのうちの一枚に、投入された金額が記録されることにより、メダルの貸し出しが可能な状態となる。また、メダルが貸し出されると、貸し出されたメダル枚数分の金額が現金カードに記録された金額から減算される。その後、更に現金が現金カード装置２３０に投入されると、当該現金カードに投入された金額が加算される。
【００３４】
また現金に代えて、メダルを借り受けるのに使用可能な金額が記録された現金カードが現金カード装置２３０に挿入されると、メダルの貸し出しが可能な状態となる。また、メダルが貸し出されると、貸し出されたメダル枚数分の金額が現金カードに記録された金額から減算される。その後、更に現金が現金カード装置２３０に投入されると、当該現金カードに投入された金額が加算される。なお、遊技を終了する際に、現金カードに残金が記録されていれば、当該現金カードが遊技者に返却される。
【００３５】
ユニット制御装置２４０は、メダル貸出ユニット２００全体の制御を行うものであり、現金カード装置２３０に現金が投入された場合に、もしくは、メダルの借り受けに使用可能な金額が記録された現金カードが挿入された場合に、遊技者にメダルを枚数データの形式で貸し出すものである。また、ユニット制御装置２４０は、遊技者がスロットマシン１における遊技を終了する場合に、遊技に使用可能なメダル枚数がまだ残っていれば、残っているメダル枚数に関する枚数データをメダルカード装置２２０に挿入されたメダルカードに記録するものである。ユニット制御装置２４０は、データ保持手段２４１、貸出手段２４２、減算手段２４３、加算手段２４４、返却手段２４５を備えている。
【００３６】
データ保持手段２４１は、遊技に使用可能なメダル枚数に関する枚数データを保持するものである。
【００３７】
貸出手段２４２は、所定の貸出枚数の枚数データをデータ保持手段２４１に保持させることにより、遊技者に遊技に使用可能なメダルを枚数データの形式で貸し出すものである。また、貸出手段２４２により遊技者（スロットマシン１）にメダルが枚数データの形式で貸し出された場合には、所定の貸出枚数分（例えば５０枚分）の貸出料金が現金カード装置２３０に挿入状態の現金カードに記録されている金額から減算される。なお、本実施の形態では、スロットマシン１に搭載されている貸出スイッチ１２が操作されることにより（図２参照）、貸出スイッチ用センサ１２ａの出力がスロットマシン１の中継基板に搭載されているＩ／Ｏポート（図示省略）を介してメダル貸出ユニット２００に入力された場合に、貸出手段２４２により遊技者に対してメダルが枚数データの形式で貸し出される。
【００３８】
減算手段２４３は、スロットマシン１へのメダルの疑似投入枚数分の枚数データをデータ保持手段２４１から減算するものである。また、加算手段２４４は、スロットマシン１からのメダルの疑似払出枚数分の枚数データをデータ保持手段２４１に加算するものである。なお、疑似投入枚数および疑似払出枚数に関する枚数データはスロットマシン１からメダル貸出ユニット２００に出力される。
【００３９】
返却手段２４５は、データ保持手段２４１に保持されている遊技に使用可能なメダル枚数に関する枚数データをメダルカードに記録することにより、遊技者にメダルを枚数データの形式で返却するものである。また、返却手段２４５により遊技者にメダルが枚数データの形式で返却された場合には、データ保持手段２４１に保持されている枚数データが初期化される。なお、本実施の形態では、スロットマシン１に搭載されている返却スイッチ１３が操作されることにより（図２参照）、返却スイッチ用センサ１３ａの出力がスロットマシン１の中継基板に搭載されているＩ／Ｏポート（図示省略）を介してメダル貸出ユニット２００に入力された場合に、返却手段２４５により遊技者に対してメダルが枚数データの形式で返却される。また、現金カードに残金が記録されていれば、当該現金カードがメダルカードと一緒に遊技者に返却される。
【００４０】
（スロットマシン）
スロットマシン１の構成の概略について、図１も参照しつつ図２を参照して説明する。図２はスロットマシンの正面図である。
【００４１】
本実施の形態における封入式のスロットマシン１では、ベットスイッチ７または最大ベットスイッチ８の操作により、遊技を開始させるための所定条件を成立させるために筐体内の封入メダルを用いたメダルの疑似投入が行われる。また、メダルの疑似投入により所定枚数分の賭け数が設定されて所定条件が成立したことを条件として、遊技者によりスタートスイッチ９が操作されると、各々複数個の図柄が配列された複数の回転リール６Ｌ，６Ｍ，６Ｒが回転を開始する。また、各ストップスイッチ１０Ｌ，１０Ｍ，１０Ｒの操作により各回転リール６Ｌ，６Ｍ，６Ｒが停止したときの停止図柄表示結果が所定の入賞態様であれば、予め定められた所定の払出枚数分のメダルの疑似払出が筐体内の封入メダルを用いて行われることにより１回の遊技が終了する。
【００４２】
スロットマシン１は、例えば、図２に示すように構成されている。すなわち、このスロットマシン１では、前面が開放された箱型の筐体の前面が前面パネル２により開閉自在に閉塞され、この前面パネル２のほぼ中央高さの位置に操作板３が配設されると共に、この操作板３の上方に正面板４が配設されている。そして、この正面板４には横長矩形の表示窓５が設けられている。また、表示窓５の内側には、複数種類の図柄を予め定められた順序で可変表示する左・中・右回転リール６Ｌ，６Ｍ，６Ｒが配置されている。
【００４３】
左・中・右回転リール６Ｌ，６Ｍ，６Ｒそれぞれの周面には、所定の個数の図柄が所定の配列で設けられている。また、左・中・右回転リール６Ｌ，６Ｍ，６Ｒそれぞれの周面に設けられた複数の図柄には、種類が異なる複数種類の図柄が含まれている。なお、各回転リール６Ｌ，６Ｍ，６Ｒは、複数種類の図柄が印刷されたリールテープが回転リールの周面に貼り付けられて形成されている。また、各回転リール６Ｌ，６Ｍ，６Ｒが回転すると、各回転リール６Ｌ，６Ｍ，６Ｒそれぞれの周面に設けられた複数種類の図柄が所定の順序でそれぞれ表示窓５に変動表示される。また、各回転リール６Ｌ，６Ｍ，６Ｒの回転が停止すると、各回転リール６Ｌ，６Ｍ，６Ｒのそれぞれについて、表示窓５の上段、中段および下段のそれぞれに１個ずつの合計３個の図柄が表示されるように設定されている。すなわち、全ての回転リール６Ｌ，６Ｍ，６Ｒが停止すると、縦３列横３行に配列された合計９個の図柄が表示窓５に停止表示される。
【００４４】
また、各回転リール６Ｌ，６Ｍ，６Ｒをそれぞれ独立して回転駆動できるように、各回転リール６Ｌ，６Ｍ，６Ｒには、それぞれステッピングモータにより構成される回転リール用のモータが連結されている。また、各回転リール６Ｌ，６Ｍ，６Ｒを支持する支持枠体が筐体内の後壁に固定されて設けられており、各回転リール６Ｌ，６Ｍ，６Ｒは支持枠体に支持されて筐体内に配設されている。
【００４５】
また、操作板３には、ベットスイッチ７、最大ベットスイッチ８、レバー状のスタートスイッチ９、左・中・右ストップスイッチ１０Ｌ，１０Ｍ，１０Ｒが設けられている。ベットスイッチ７は、後述する投入・払出装置１００に、メダル貸出ユニット２００のデータ保持手段２４１に保持されている枚数データから１枚ずつのメダルの疑似投入を指示するためのものである。最大ベットスイッチ８は、後述する投入・払出装置１００に、メダル貸出ユニット２００のデータ保持手段２４１に保持されている枚数データから１ゲーム（遊技）あたりの最大投入枚数（規定枚数：３枚に設定されている）のメダルの疑似投入を指示するためのものである。なお、ベットスイッチ７および最大ベットスイッチ８は、メダル貸出ユニット２００のデータ保持手段２４１に保持されている遊技に使用可能なメダル枚数に関する枚数データにより示されるメダル枚数が１枚以上である場合に有効化されるように設定されている。また、最大ベットスイッチ８が操作されたときに、データ保持手段２４１に保持されている枚数データが示すメダル枚数が規定枚数（例えば３枚）よりも少ない場合には、メダルの貸し出しを遊技者に促す報知を行うようにしてもよいし、規定枚数（例えば３枚）より少ない所定枚数で遊技できるようにしてもよい。
【００４６】
スタートスイッチ９は、各回転リール６Ｌ，６Ｍ，６Ｒを回転させて各図柄の可変表示を開始させるものである。左・中・右ストップスイッチ１０Ｌ，１０Ｍ，１０Ｒは、左・中・右回転リール６Ｌ，６Ｍ，６Ｒの回転をそれぞれ停止させて各図柄の可変表示を停止させるものである。なお、スタートスイッチ９は、後述する投入・払出装置１００により所定枚数分のメダルが疑似投入されることにより有効化されるように設定されている。また、左・中・右ストップスイッチ１０Ｌ，１０Ｍ，１０Ｒは、スタートスイッチ９の操作により回転開始した各回転リール６Ｌ，６Ｍ，６Ｒが所定の加速期間が経過して定速回転するようになった後に有効化されるように設定されている。
【００４７】
さらに、操作板３には、精算スイッチ１１、貸出スイッチ１２、返却スイッチ１３が設けられている。精算スイッチ１１は、後述する投入・払出装置１００に、疑似投入された枚数分のメダルの疑似払出を行わせることによって、メダル貸出ユニット２００の加算手段２４４に、疑似投入された枚数分の枚数データをデータ保持手段２４１に加算させてメダル貸出ユニット２００に戻すことにより、一旦設定された賭け数を初期化するためのものである。貸出スイッチ１２は、メダル貸出ユニット２００の貸出手段２４２に、データ保持手段２４１に所定の貸出枚数分の枚数データを加算させることによって、メダル貸出ユニット２００にメダル貸し出しを行わせるためのものである。返却スイッチ１３は、メダル貸出ユニットの返却手段２４５に、データ保持手段２４１に保持されている遊技に使用可能なメダル枚数に関する枚数データをメダルカード装置２２０に挿入されたメダルカードに記録させることによって、メダル貸出ユニット２００にメダルを枚数データの形式で遊技者に対して返却させるものである。また、返却スイッチ１３が操作されたときに、現金カード装置２３０に挿入された現金カードに残金が記録されていれば、当該現金カードがメダルカードと一緒に遊技者に返却される。
【００４８】
なお、精算スイッチ１１は、メダルの疑似投入枚数が１枚以上である場合に有効化されるように設定されている。本実施の形態では、１ゲーム（１回の遊技）に必要な賭け数（所定枚数）は、１枚、２枚、３枚の３種類が設定されている。また、各回転リール６Ｌ，６Ｍ，６Ｒそれぞれにより複数種類の図柄を可変表示する可変表示列が形成されており、各ストップスイッチ１０Ｌ，１０Ｍ，１０Ｒは、各回転リール６Ｌ，６Ｍ，６Ｒのそれぞれに対応して設けられている。
【００４９】
また、正面板４の上方のほぼ中央には、動画などを表示して遊技者に当選や入賞などを告知したり、各ストップスイッチ１０Ｌ，１０Ｍ，１０Ｒの操作態様を報知する演出を行うための液晶表示器１４が設けられている。液晶表示器１４は液晶ディスプレイ（ＬＣＤ）の駆動回路が設けられた液晶制御基板１４ａ（図３参照）を備え、液晶制御基板１４ａにより駆動されることによって液晶表示器１４に種々の映像が表示される。
【００５０】
また、液晶表示器１４の紙面に向って左側に隣接して、投入・払出装置１００が配設されている。なお、投入・払出装置１００の構成については後で詳細に説明する。
【００５１】
また、正面板４の上方の左右には、音楽や音声などによる演出を行うための上部スピーカ１５が設けられている。また、操作板３の下方には、装飾画などが表示された下部パネル１８が設けられ、この下部パネル１８の左右には、音楽や音声などによる演出を行うための下部スピーカ１６が設けられている。
【００５２】
また、前面パネル２の上側の周縁部分に上部ランプ部２１が設けられ、前面パネル２の下部パネル１８の左右に下部ランプ部２２が設けられている。各ランプ部２１，２２それぞれは、発光ダイオードや有機ＥＬ等の発光素子、一般的な電球などの発光手段を備え、遊技者に当選や入賞を告知するなどの演出を行う。
【００５３】
（スロットマシンの電気的な構成の概略）
スロットマシン１の電気的な構成の概略について、図１および図２も参照しつつ図３を参照して説明する。図３はスロットマシンの電気的構成を示すブロック図である。
【００５４】
ベットスイッチ７、最大ベットスイッチ８、各ストップスイッチ１０Ｌ，１０Ｍ，１０Ｒ、精算スイッチ１１、貸出スイッチ１２、返却スイッチ１３それぞれは、ボタン状の操作部と、操作部の内部に配置され遊技者による操作部の操作に伴い移動する検知片を検出するセンサとを備えている。すなわち、ベットスイッチ７はベットスイッチ用センサ７ａを備え、最大ベットスイッチ８は最大ベットスイッチ用センサ８ａを備え、左・中・右ストップスイッチ１０Ｌ，１０Ｍ，１０Ｒそれぞれは左・中・右ストップスイッチ用センサ１０Ｌａ，１０Ｍａ，１０Ｒａを備えている。また、精算スイッチ１１は精算スイッチ用センサ１１ａを備え、貸出スイッチ１２は貸出スイッチ用センサ１２ａを備え、返却スイッチ１３は返却スイッチ用センサ１３ａを備えている。
【００５５】
また、ボタン状の操作部は、遊技者により操作されていない状態ではセンサが検知片を検知しないように、遊技者による操作部の押圧方向とは反対の方向に常時ばねで付勢されている。そして、ボタン状の操作部を備える「ベットスイッチ」等の各ボタン状スイッチの操作部が遊技者により押し込まれると、「ベットスイッチ」等の各ボタン状スイッチに対する操作状態が押圧状態となる。また、遊技者による操作部の押し込みに伴い検知片が移動し、移動した検知片がセンサにより検知される。その後、遊技者が手を離すことにより「ベットスイッチ」等の各ボタン状スイッチに対する押圧状態が解除されると、ばねの付勢力によってボタン状の操作部が初期位置に復帰移動することにより、検知片がセンサにより検知されなくなるので、センサによる検知片の検知状態が解除される。
【００５６】
スタートスイッチ９は、レバー状の操作部と、遊技者による操作部の操作に伴い移動する検知片を検出するスタートスイッチ用センサ９ａとを備えている。スタートスイッチ９は、遊技者によるレバー状の操作部に対する操作状態と、スタートスイッチ用センサ９ａによる検知片の検知状態との関係を除いて、上記した「ベットスイッチ」等のボタン状スイッチとほぼ同様の構成を備えている。
【００５７】
すなわち、本実施の形態では、遊技者によりスタートスイッチ９のレバー状の操作部が下方に押し込まれると、スタートスイッチ９に対する操作状態が押圧状態となる。そして、遊技者によるレバー状の操作部の押し込みに伴い検知片が移動し、移動した検知片がスタートスイッチ用センサ９ａにより検知されなくなって、スタートスイッチ用センサ９ａによる検知片の検知状態が解除される。その後、遊技者が手を離すことによりスタートスイッチ９に対する押圧状態が解除されると、ばねの付勢力によってレバー状の操作部が初期位置に復帰移動することにより、検知片がスタートスイッチ用センサ９ａにより検知される。
【００５８】
なお、各センサと検知片との関係は、上記した例に限定されるものではない。すなわち、各センサと検知片との関係は、各スイッチが備える操作部が遊技者により操作されると、操作部が初期位置にあるときとセンサによる検知片の検知状態が異なる状態になる関係であればよい。このようにすると、各スイッチの操作部が遊技者により操作されたことを検知ことができる。したがって、センサと検知片との関係は適宜変更可能である。
【００５９】
また、このスロットマシン１では、少なくとも遊技の進行に関する制御を行うメインＣＰＵ３１が実装されたメイン制御基板３２と、メイン制御基板３２から送信された情報に基づき遊技の進行に合わせた演出の制御を行うサブＣＰＵ４１が実装されたサブ制御基板４２とが別々に設けられており、メイン制御基板３２からサブ制御基板４２に対して各種のデータがコマンド形式で一方通行で送信される。
【００６０】
メイン制御基板３２のＲＡＭ３３はスロットマシン１の遊技に関するデータを一時的に記憶するものであり、疑似投入枚数および疑似払出枚数に関する枚数データなどの各種のデータを格納するための各種の記憶領域がＲＡＭ３３に形成される。また、メイン制御基板３２のＲＯＭ３４は各種のデータを予め記憶するものであり、抽選テーブルなどの予め設定されたデータを含む遊技機用プログラム（スロットマシン１用のプログラム）が格納されている。したがって、ＲＯＭ３４に格納された遊技機用プログラムがＣＰＵ３１により実行されることにより、メイン制御基板３２において各種の機能が実現される。
【００６１】
また、メイン制御基板３２のメインＣＰＵ３１は、タイマ割込などの割込機能を有し、ＲＯＭ３４に格納された遊技機用プログラムを実行することにより、遊技の進行に関する処理を行う。また、メインＣＰＵ３１は、後述する抽選手段６０（図１参照）による役抽選処理における抽選結果に関するデータ、各ベットスイッチ７，８等の遊技者により操作される操作器具の操作に関するデータ、などのメイン制御基板３２における遊技の進行状況やスイッチ、センサの作動状況に関する情報を示す種々のデータをコマンド形式でサブ制御基板４２のサブＣＰＵ４１に送信する。
【００６２】
また、本実施の形態では、後述する投入・払出装置１００が駆動することによりスロットマシン１に疑似投入されたメダルの枚数に関する枚数データやスロットマシン１から疑似払出されたメダルの枚数に関する枚数データが、メイン制御基板３２からＩ／Ｏポート（図示省略）を介してメダル貸出ユニット２００に出力される。そして、メダル貸出ユニット２００において、メイン制御基板３２から出力された疑似投入枚数に関する枚数データに基づいて減算手段２４３によりデータ保持手段２４１から疑似投入枚数分の枚数データが減算され、メイン制御基板３２から出力された疑似払出枚数に関する枚数データに基づいて加算手段２４４によりデータ保持手段２４１に疑似払出枚数分の枚数データが加算される。
【００６３】
なお、約１．８ミリ秒ごとにメインＣＰＵ３１において実行されるタイマ割込処理のタイミングで、種々のデータがコマンド形式でメイン制御基板３２からＩ／Ｏポートを介してサブ制御基板４２およびメダル貸出ユニット２００に送信される。また、本実施の形態では、貸出スイッチ用センサ１２ａおよび返却スイッチ用センサ１３ａの出力がメイン制御基板３２を介さずにメダル貸出ユニット２００に出力されている。しかしながら、貸出スイッチ用センサ１２ａおよび返却スイッチ用センサ１３ａの出力が、一旦、メイン制御基板３２に入力された後に、メイン制御基板３２からＩ／Ｏポートを介して貸出スイッチ１２および払出スイッチ１３の操作に関するデータがメダル貸出ユニット２００に送信されるようにしてもよい。
【００６４】
サブ制御基板４２のＲＡＭ４３は、各種データを一時的に記憶するものであり、各種のデータを格納するための各種の記憶領域がＲＡＭ４３に形成される。また、サブ制御基板４２のＲＯＭ４４には、演出用の各種データや各種プログラムなどが格納されている。また、サブ制御基板４２のサブＣＰＵ４１は、タイマ割込などの割込機能を有し、メインＣＰＵ３１から送信されるスロットマシン１に関する各種のデータ（抽選手段６０による役抽選処理における抽選結果、各ストップスイッチ１０Ｌ，１０Ｍ，１０Ｒ、スタートスイッチ９等の操作器具が操作されたか、などに関するデータ）に基づいてＲＯＭ４４に格納されたプログラムを実行することで、遊技者に対して実行される遊技に関連する演出の内容を決定する。
【００６５】
また、サブ制御基板４２が有するＩ／Ｏポートを介して、液晶表示器１４（液晶制御基板１４ａ）や各スピーカ１５，１６、各ランプ部２１，２２などの各種の演出機器がサブ制御基板４２に接続されている。そして、サブＣＰＵ４１において決定された演出の内容に基づく制御信号（演出コマンド）が各演出機器に対して出力される。そして、サブ制御基板４２から出力された演出コマンドに応じて、サブＣＰＵ４１において決定された内容に基づく演出が各演出機器において実行される。
【００６６】
なお、約１．２ミリ秒ごとにサブＣＰＵ４１において実行されるタイマ割込処理のタイミングで、サブＣＰＵ４１において決定された内容に基づいてサブ制御基板４２の出力バッファに設定されている演出コマンドがサブ制御基板４２からＩ／Ｏポートを介して各演出機器に対して出力される。
【００６７】
（投入・払出装置）
投入・払出装置１００の構成について、図１および図２も参照しつつ図４〜図７を参照して説明する。図４は投入・払出装置を示す図であって、（ａ）は正面図、（ｂ）は裏面図であり、図５は図４の投入・払出装置の下面図である。図６は図４の投入・払出装置が備えるメダル担持体を示す図であって、（ａ）は正面図、（ｂ）は下面図、（ｃ）は左側面図、（ｄ）は右側面図であり、図７は図４の投入・払出装置が備える固定部材を示す図であって、（ａ）は裏面図、（ｂ）は（ａ）の右側面図である。なお、図４および図５では説明を簡易なものとするために、正面板１０１や駆動部１３０などが図示省略されている。
【００６８】
投入・払出装置１００（本発明の「メダル検出装置」に相当）は、封入メダルＭを用いることにより、スロットマシン１へのメダルの疑似投入と、スロットマシン１からのメダルの疑似払出を行うための装置である。図１に示すように、投入・払出装置１００は、正面板１０１がスロットマシン１の正面側から遊技者が視認できるように前面パネル２の液晶表示器１４の左側に配設されている。図４（ａ）に示すように、投入・払出装置１００は、少なくとも１枚の封入メダルＭを所定の検出位置Ｐ１，Ｐ２を通過可能に封入状態で保持するメダル保持手段１０２を備えている。また、正面板１０１には、図４（ａ）中に点線で示す位置に、回転移動する封入メダルＭを遊技者が視認できるように、疑似投入メダル視認用窓１０３および疑似払出メダル視認用窓１０４が形成されている。
【００６９】
メダル保持手段１０２は、１枚の封入メダルＭを担持するメダル担持体１１０と、メダル担持体１１０が着脱自在に取着される円盤状の固定部材１２０とを備えている。図４（ａ），（ｂ）に示すように、本実施の形態では、８個のメダル担持体１１０が花弁状に配置されて固定部材１２０に取着されている。
【００７０】
メダル担持体１１０は、図６（ａ）に示すように、円盤状の保持部１１０ａと、保持部１１０ａの外周面から径方向に外方に向かって延出して設けられた舌状部１１０ｂとを有している。舌状部１１０ｂは、正面視において外方に向ってテーパ状に先細りする山形状に形成されており、メダル担持体１１０は、正面視略洋なし状に形成されている。また、メダル担持体１１０の保持部１１０ａの正面側に凹部が設けられており、凹部内に封入メダルＭが配置されることにより、封入メダルＭが、取り出しができないように凹部内に封入された状態でメダル担持体１１０に担持されている。
【００７１】
また、図６（ａ），（ｂ），（ｄ）に示すように、メダル担持体１１０の舌状部１１０ｂの裏面側に、２個のフック体１１１が鉤形の先端が互いに反対側を向くように背中合わせに配置されて立設されている。また、図６（ａ）〜（ｄ）に示すように、メダル担持体１１０の保持部１１０ａ裏面側の舌状部１１０ｂ寄りの位置に、短冊状の板部材により形成された被検出片１１２が立設されている。なお、被検出片１１２の両主面と、保持部１１０ａの裏面との間には補強リブ１１２ａが設けられている。また、両フック体１１１および被検出片１１２は、保持部１１０ａの中心から舌状部１１０ｂの先端部に向う方向に並べて配置されている。
【００７２】
固定部材１２０は、図７（ａ），（ｂ）に示すように、円盤状の部材により形成され、円盤状の部材の周縁部の所定位置に矩形状の複数（本実施形態では１２個）の孔１２１（本発明の「取付部」に相当）が任意の位置に配置されて形成されている。また、固定部材１２０の円盤状の中央部分が肉厚に形成されて、図示省略された回転軸が嵌挿される孔（図示省略）が透設された軸受１２２が形成されている。
【００７３】
また、メダル担持体１１０は、次のようにして固定部材１２０の任意の位置に取着される。すなわち、まず、固定部材１２０に形成された複数の孔１２１のうち、メダル担持体１１０を取着する孔１２１が決定される。次に、メダル担持体１１０の舌状部１１０ｂが、固定部材１２０の周縁部のうち、メダル担持体１１０が取着される孔１２１が形成された部分の正面側に重なるように配置される。そして、メダル担持体１１０の舌状部１１０ｂの裏面側に設けられている両フック体１１１が固定部材１２０の孔１２１に正面（一方）側から挿入され、裏面（他方）側に突出する両フック体１１１の鉤が固定部材１２０の裏面側において孔１２１の端縁部分に係止することにより、メダル担持体１１０が固定部材１２０に取着される。
【００７４】
なお、本実施の形態では、図４（ａ），（ｂ）に示すように、８個のメダル担持体１１０が、固定部材１２０の回転軸を回転中心として回転角を４５°ずつずらしながら周方向に配列されることにより互いに密接するように配置されて、固定部材１２０に花弁状に取着されている。そして、固定部材１２０が図示省略された回転軸を回転中心として回転することにより、固定部材１２０と各メダル担持体１１０とが一体的に回転し、各メダル担持体１１０それぞれに担持された封入メダルＭが円周状に設定された所定経路を通るように回転移動する。
【００７５】
また、メダル保持手段１０２（メダル担持体１１０、固定部材１２０）が回転することにより、円周状に設定された所定経路を通るように移動する各封入メダルＭは、図４（ａ）中に点線で示す疑似投入メダル視認用窓１０３および疑似払出メダル視認用窓１０４の位置を通過することにより遊技者に視認される。なお、本実施の形態では、各メダル担持体１１０それぞれに担持された封入メダルＭが円周状に密接して連続的に配置されているので、メダル保持手段１０２が回転することにより、疑似投入メダル視認用窓１０３および疑似払出メダル視認用窓１０４それぞれを通る各封入メダルＭは連続的に遊技者により視認される。
【００７６】
また、本実施の形態では、後述するように、疑似投入用の検出位置Ｐ１が疑似投入メダル視認用窓１０３の位置に設定されており、疑似投入メダル視認用窓１０３を通過した封入メダルＭがスロットマシン１に疑似投入される。また、疑似払出用の検出位置Ｐ２が疑似払出メダル視認用窓１０４の位置に設定されており、疑似払出メダル視認用窓１０４を通過した封入メダルＭがスロットマシン１から疑似払出される。したがって、各封入メダルＭのうち、疑似投入される封入メダルＭが疑似投入メダル視認用窓１０３において遊技者により視認される。また、各封入メダルＭのうち、疑似払出される封入メダルＭが疑似払出メダル視認用窓１０４において遊技者により視認される。
【００７７】
なお、本実施の形態では、後述するように、メダル保持手段１０２は、疑似投入の際に正面視において反時計回り方向に回転駆動され、疑似払出の際に正面視において時計回り方向に回転駆動される。
【００７８】
また、疑似投入メダル視認用窓１０３の位置に設定された疑似投入用の検出位置Ｐ１を通過する封入メダルＭを検出するための投入センサ１１５が配設されている。
【００７９】
投入センサ１１５は、図５に示すように、発光部および検出部を有し、発光部と検出部との間を各メダル担持体１１０それぞれに一体的に設けられた被検出片１１２が通過するように配設されることにより、通常状態では、発光部の光が検出部に届くようになっている。そして、各封入メダルＭが反時計まわり方向に回転移動することにより、封入メダルＭが疑似投入メダル視認用窓１０３を通過すると、当該封入メダルＭを担持するメダル担持体１１０に設けられた被検出片１１２が投入センサ１１５の位置を通過する。このとき、被検出片１１２が投入センサ１１５の発光部と検出部との間を通過することにより、検出部に届いていた発光部の光が被検出片１１２により遮断される。したがって、被検出片１１２が発光部と検出部との間を通過したことが検出部により検出される。
【００８０】
このように、メダル担持体１１０に担持された封入メダルＭが所定の検出位置Ｐ１（疑似投入メダル視認用窓１０３）を通過するタイミングで、当該メダル担持体１１０に設けられた被検出片１１２が投入センサ１１５の位置を通過する。したがって、疑似投入用の検出位置Ｐ１を通過する封入メダルＭを、メダル担持体１１０に設けられた被検出片１１２を介して投入センサ１１５により検出することができる。そして、封入メダルＭが検出位置Ｐ１を通過したことが投入センサ１１５により検出されると、投入センサ１１５の検出部からメダル検出信号がメイン制御基板３２に対して出力される。
【００８１】
また、疑似払出メダル視認用窓１０４の位置に設定された疑似払出用の検出位置Ｐ２を通過する封入メダルＭを検出するための払出センサ１２５が配設されている。
【００８２】
払出センサ１２５は、図５に示すように、発光部および検出部を有し、発光部と検出部との間を各メダル担持体１１０それぞれに一体的に設けられた被検出片１１２が通過するように配設されることにより、通常状態では、発光部の光が検出部に届くようになっている。そして、各封入メダルＭが時計まわり方向に回転移動することにより、封入メダルＭが疑似払出メダル視認用窓１０４を通過すると、当該封入メダルＭを担持するメダル担持体１１０に設けられた被検出片１１２が払出センサ１２５の位置を通過する。このとき、被検出片１１２が払出センサ１２５の発光部と検出部との間を通過することにより、検出部に届いていた発光部の光が被検出片１１２により遮断される。したがって、被検出片１１２が発光部と検出部との間を通過したことが検出部により検出される。
【００８３】
このように、メダル担持体１１０に担持された封入メダルＭが所定の検出位置Ｐ２（疑似払出メダル視認用窓１０４）を通過するタイミングで、当該メダル担持体１１０に設けられた被検出片１１２が払出センサ１２５の位置を通過する。したがって、疑似払出用の検出位置Ｐ２を通過する封入メダルＭを、メダル担持体１１０に設けられた被検出片１１２を介して払出センサ１２５により検出することができる。そして、封入メダルＭが検出位置Ｐ２を通過したことが払出センサ１２５により検出されると、払出センサ１２５の検出部からメダル検出信号がメイン制御基板３２に対して出力される。
【００８４】
以上のように、投入センサ１１５および払出センサ１２５が本発明の「メダル検出手段」として機能している。
【００８５】
また、ステッピングモータ等のモータを備える駆動部１３０（図１参照）が配設されており、駆動部１３０のモータの回転軸が、固定部材１２０の回転軸にクラッチ等のギア機構を介して連結されている。したがって、疑似投入の際に固定部材１２０が正面視において駆動部１３０により反時計回り方向に回転駆動されることにより、各メダル担持体１１０それぞれに担持された封入メダルＭが反時計回り方向に回転移動して疑似投入用の検出位置Ｐ１を通過する。また、疑似払出の際に固定部材１２０が正面視において駆動部１３０により時計回り方向に回転駆動されることにより、各メダル担持体１１０それぞれに担持された封入メダルＭが時計回り方向に回転移動して疑似払出用の検出位置Ｐ２を通過する。
【００８６】
以上のように、駆動部１３０が、メダル保持手段１０２を駆動して封入メダルＭに検出位置Ｐ１，Ｐ２を通過させる本発明の「駆動制御手段」として機能している。また、投入・払出装置１００はメイン制御基板３２の投入制御手段１４０および払出制御手段１５０により駆動制御される。投入制御手段１４０および払出制御手段１５０については後の項目において詳細に説明する。
【００８７】
（使用例）
投入・払出装置１００のメダル保持手段１０２の使用例について図８〜図１２を参照して説明する。図８〜図１２それぞれは投入・払出装置のメダル保持手段の使用例の一例であって、（ａ）は裏面図、（ｂ）は（ａ）の右側面図である。なお、メダル担持体１１０および固定部材１２０の構成については上記した構成と同様であるため、同一符号を引用することによりその構成の説明は省略する。
【００８８】
図８（ａ），（ｂ）に示す例では、６個のメダル担持体１１０が、固定部材１２０の回転軸を回転中心とて回転角を６０°ずつずらしながら周方向に配列されて配置され、固定部材１２０に花弁状に取着されている。図９（ａ），（ｂ）に示す例では、４個のメダル担持体１１０が、固定部材１２０の回転軸を回転中心として回転角を９０°ずつずらしながら周方向に配列されて配置され、固定部材１２０に花弁状に取着されている。図１０（ａ），（ｂ）に示す使用例では、３個のメダル担持体１１０が、固定部材１２０の回転軸を回転中心として回転角を１２０°ずつずらしながら周方向に配列されて配置され、固定部材１２０に取着されている。
【００８９】
図８〜図１０に示す使用例では、メダル保持手段１０２に保持される封入メダルＭの数を減らして、各封入メダルＭが所定間隔を開けて等間隔に配置されている。したがって、メダル保持手段１０２が回転することにより、両メダル視認用窓１０３，１０４それぞれを通る各封入メダルＭは間欠的に遊技者により視認される。
【００９０】
図１１（ａ），（ｂ）に示す例では、４個のメダル担持体１１０が、固定部材１２０の回転軸を回転中心として回転角を４５°ずつずらしながら周方向に配列されることにより互いに密接するように配置されて固定部材１２０に取着され、２個のメダル担持体１１０が、固定部材１２０の回転軸を回転中心として回転角を６０°ずらして配置されて固定部材１２０に取着されている。図１２（ａ），（ｂ）に示す例では、３個のメダル担持体１１０が、固定部材１２０の回転軸を回転中心として回転角を４５°ずつずらしながら周方向に配列されることにより互いに密接するように配置されて固定部材１２０に取着され、２個のメダル担持体１１０が、固定部材１２０の回転軸を回転中心として回転角を１２０°ずらして配置されて固定部材１２０に取着されている。
【００９１】
図１１および図１２に示す使用例では、所定数の封入メダルＭが密接配置されると共に、２個の封入メダルＭが所定間隔を開けて配置されている。したがって、メダル保持手段１０２が回転することにより、両メダル視認用窓１０３，１０４それぞれを通る各封入メダルＭが、連続的に遊技者により視認される期間と、間欠的に遊技者により視認される期間とを交互に出現させることができる。
【００９２】
以上のように、固定部材１２０に取着されるメダル担持体１１０（封入メダルＭ）の個数を変更したり、固定部材１２０上でのメダル担持体１１０（封入メダルＭ）の配置位置を変更したりすることにより、両メダル視認用窓１０３，１０４を介して遊技者に視認される封入メダルＭの見え方を変化させることができる。
【００９３】
（メイン制御基板の機能）
メイン制御基板３２の機能について図２、図３および図４も参照しつつ図１を参照して説明する。
【００９４】
（１）遊技制御手段５０
遊技制御手段５０は、封入式のスロットマシン１において実行される遊技を制御するためのものである。このスロットマシン１の遊技では、ベットスイッチ７または最大ベットスイッチ８が操作されてメダルの疑似投入の指示があると、投入・払出装置１００による疑似投入が行われて賭け数が設定される。そして、所定枚数の賭け数が設定された後にスタートスイッチ９が操作されると、まず、当選か否かを決定する抽選手段６０による乱数抽選が行われ、ほぼ同時に、３個すべての回転リール６Ｌ，６Ｍ，６Ｒの回転が開始する。
【００９５】
その後に、３個のストップスイッチ１０Ｌ，１０Ｍ，１０Ｒのうちの１個が操作されると、当該操作されたストップスイッチに対応した回転リール６Ｌ，６Ｍ，６Ｒのうちのいずれかの回転が停止する。そして、３個すべてのストップスイッチ１０Ｌ，１０Ｍ，１０Ｒに対する操作が終了すると、３個すべての回転リール６Ｌ，６Ｍ，６Ｒの回転が停止する。このとき、所定の図柄が所定の位置に停止すると入賞になり、投入・払出装置１００による遊技者に対する所定枚数のメダルの疑似払出、メダル貸出ユニット２００のデータ保持手段２４１に保持された遊技者所有のメダル枚数に関する枚数データの減算を行うことなく次回の遊技を実行可能なリプレイ、などの所定の利益が遊技者に対して付与される。
【００９６】
（２）投入制御手段１４０
投入制御手段１４０は、ベットスイッチ７または最大ベットスイッチ８が操作された場合に、投入・払出装置１００にスロットマシン１へのメダルの疑似投入を許容し、所定枚数のメダルの疑似投入を行うことにより賭け数を設定して、遊技を開始するための所定条件を成立させるものである。また、投入制御手段１４０は、スロットマシン１に疑似投入されたメダル枚数分の枚数データに関する情報をメダル貸出ユニット２００に送信する。メダル貸出ユニット２００では、投入制御手段１４０から疑似投入枚数に関する枚数データが受信されると、データ保持手段２４１から疑似投入枚数分の枚数データが減算手段２４３により減算される。投入制御手段１４０は以下の機能を備えている。
【００９７】
（２−１）疑似投入用作動制御部１４１
疑似投入用作動制御部１４１は、ベットスイッチ用センサ７ａまたは最大ベットスイッチ用センサ８ａからの信号がメイン制御基板３２に入力されると、投入・払出装置１００の駆動部１３０のモータを駆動してメダル保持手段１０２（固定部材１２０）を正面視において反時計回り方向に回転駆動することにより、固定部材１２０に取着された各メダル担持体１１０それぞれに担持された各封入メダルＭを反時計回り方向に回転移動させる。
【００９８】
（２−２）投入メダル計数部１４２
投入メダル計数部１４２（本発明の「メダル計数手段」に相当）は、各メダル担持体１１０それぞれに担持された封入メダルＭが疑似投入用の検出位置Ｐ１を通過することにより投入センサ１１５から出力されるメダル検出信号の出力回数に基づいて、検出位置Ｐ１を各封入メダルＭが通過した回数を、スロットマシン１へのメダルの疑似投入枚数として、所定条件が成立する、すなわち、所定枚数分の賭け数が設定されるまで計数する。なお、投入メダル計数部１４２により計数された疑似投入枚数が、スロットマシン１の遊技を行うための賭け数として設定される。
【００９９】
また、本実施の形態では、投入メダル計数部１４２により疑似投入されたメダルの枚数が計数される毎に、すなわち、メダル検出信号が投入センサ１１５から出力される毎に、１枚のメダルが疑似投入されたという情報が投入制御手段１４０からメダル貸出ユニット２００に対して送信される。したがって、各メダル担持体１１０それぞれに担持された封入メダルＭが疑似投入用の検出位置Ｐ１を通過することにより投入センサ１１５からメダル検出信号が出力される毎に、スロットマシン１において賭け数が加算されると共に、メダル貸出ユニット２００においてデータ保持手段２４１から１枚分の枚数データが減算手段２４３により減算される。
【０１００】
また、疑似投入用作動制御部１４１は、投入メダル計数部１４２により計数された疑似投入枚数が、各ベットスイッチ７，８に設定されている疑似投入枚数（ベットスイッチ７では１枚、最大ベットスイッチ８では３枚）に達するか、データ保持手段２４１の枚数データが０枚になると、投入・払出装置１００の駆動部１３０のモータの回転を停止させることにより、メダル保持手段１０２（固定部材１２０）の回転を停止させる。
【０１０１】
（３）抽選手段６０
抽選手段６０は、本実施の形態では、スタートスイッチ９の操作を契機に、複数の役のいずれかに当選かまたはハズレかの抽選を行うためのものである。また、抽選手段６０は、乱数発生手段、乱数抽出手段、抽選テーブル、および抽選判定手段を備えている。乱数発生手段は、抽選用の乱数を、所定の範囲内（本実施の形態では、例えば、１０進数で０〜１６３８３）で発生させるものである。この乱数発生手段は、発振回路と、この発振回路が発生させたクロック信号をカウントするカウンタ回路とによって構成されている。乱数抽出手段は、乱数発生手段が発生させた乱数を抽出するもので、乱数発生手段が発生させた乱数をスタートスイッチ９の操作を契機として抽出する。なお、乱数発生手段は、カウンタ回路などによって構成されるため、乱数発生手段が発生させる数値は、厳密には乱数ではない。ただし、スタートスイッチ９が操作されるタイミングは、ランダムであると考えられるため、乱数抽出手段が抽出する数値は、実質的には乱数として取り扱うことができる。なお、乱数発生器により乱数を生成してもよい。
【０１０２】
抽選テーブルは、乱数発生手段が発生させる範囲内の各乱数について、予め設定されている抽選結果のいずれかに該当するか否かが予め定められたものである。抽選判定手段は、乱数抽出手段により抽出された乱数と、抽選テーブルとを照合して、抽出された乱数が、複数の抽選結果のいずれに該当するかを判定するものである。
【０１０３】
（４）停止制御手段７０
停止制御手段７０は、遊技者によるストップスイッチ１０Ｌ，１０Ｍ，１０Ｒに対する操作態様と抽選手段６０の抽選結果とに基づき、回転リール６Ｌ，６Ｍ，６Ｒの停止制御を行うものである。本実施の形態では、抽選手段６０による抽選結果が複数の役のいずれかへの当選であった場合に、停止制御手段７０は、遊技者がストップスイッチ１０Ｌ，１０Ｍ，１０Ｒを操作したタイミングが適切であれば、後述の判定手段８０により当選した役に入賞したと判定されるように、回転リール６Ｌ，６Ｍ，６Ｒの停止制御を行う。なお、ストップスイッチ１０Ｌ，１０Ｍ，１０Ｒの遊技者による操作態様としては、前述の操作タイミングに限らず、いずれのストップスイッチ１０Ｌ，１０Ｍ，１０Ｒを最初に操作したか等の操作順序であってもよい。また、当選役の種類によっては、ストップスイッチ１０Ｌ，１０Ｍ，１０Ｒが遊技者によりどのようなタイミングで操作されても、当該当選役に対応した入賞態様で停止図柄が表示されるように、各回転リール６Ｌ，６Ｍ，６Ｒ上での各図柄の配置位置が設定されている。
【０１０４】
（５）判定手段８０
判定手段８０は、各ストップスイッチ１０Ｌ，１０Ｍ，１０Ｒの操作により全ての回転リール６Ｌ，６Ｍ，６Ｒが停止したときの停止図柄の表示態様を判定するものである。本実施の形態では、各回転リール６Ｌ，６Ｍ，６Ｒが停止したときの図柄の表示結果が所定の入賞態様であるかどうかが判定手段８０により判定される。なお、入賞と判定される表示態様は、当選役毎に異なる表示態様が予め定められている。
【０１０５】
（６）払出制御手段１５０
払出制御手段１５０は、判定手段８０により停止図柄表示結果が所定の入賞と判定された場合、もしくは、精算スイッチ１１が操作された場合に、投入・払出装置１００にスロットマシン１からのメダルの疑似払出を許容し、所定の払出枚数のメダルの疑似払出を行うものである。また、払出制御手段１５０は、スロットマシン１から疑似払出されたメダル枚数分の枚数データに関する情報をメダル貸出ユニット２００に送信する。メダル貸出ユニット２００では、払出制御手段１５０から疑似払出枚数に関する枚数データが受信されると、データ保持手段２４１に疑似払出枚数分の枚数データが加算手段２４４により加算される。払出制御手段１５０は以下の機能を備えている。
【０１０６】
（６−１）疑似払出用作動制御部１５１
疑似払出用作動制御部１５１は、判定手段８０により停止図柄表示結果が所定の入賞と判定されるか、もしくは、精算スイッチ用センサ１１ａからの信号がメイン制御基板３２に入力されると、投入・払出装置１００の駆動部１３０のモータを駆動してメダル保持手段１０２（固定部材１２０）を正面視において時計回り方向に回転駆動することにより、固定部材１２０に取着された各メダル担持体１１０それぞれに担持された各封入メダルＭを時計回り方向に回転移動させる。
【０１０７】
（６−２）払出メダル計数部１５２
払出メダル計数部１５２（本発明の「メダル計数手段」に相当）は、各メダル担持体１１０それぞれに担持された封入メダルＭが疑似払出用の検出位置Ｐ２を通過することにより払出センサ１２５から出力されるメダル検出信号の出力回数に基づいて、検出位置Ｐ２を各封入メダルＭが通過した回数を、スロットマシン１からのメダルの疑似払出枚数として、所定の払出枚数に達するまで計数する。なお、所定の払出枚数として、判定手段８０により入賞と判定された場合には、入賞の種類に応じて予め設定されている入賞枚数が設定され、精算スイッチ１１が操作された場合には、投入メダル計数部１４２により計数されることにより賭け数として設定されている枚数が設定される。
【０１０８】
また、本実施の形態では、払出メダル計数部１５２により疑似払出されたメダルの枚数が計数される毎に、すなわち、メダル検出信号が払出センサ１２５から出力される毎に、１枚のメダルが疑似払出されたという情報が払出制御手段１５０からメダル貸出ユニット２００に対して送信される。したがって、各メダル担持体１１０それぞれに担持された封入メダルＭが疑似払出用の検出位置Ｐ２を通過することにより払出センサ１２５からメダル検出信号が出力される毎に、メダル貸出ユニット２００においてデータ保持手段２４１に１枚分の枚数データが加算手段２４４により加算される。
【０１０９】
また、疑似払出用作動制御部１５１は、払出メダル計数部１５２により計数された疑似払出枚数が、所定の払出枚数（入賞では入賞の種類に応じた払出枚数、精算スイッチ１１では賭け数）に達すれば、投入・払出装置１００の駆動部１３０のモータの回転を停止させることにより、メダル保持手段１０２（固定部材１２０）の回転を停止させる。
【０１１０】
（動作）
次に、本実施の形態における動作の一例について図１３を参照しつつ説明する。図１３はスロットマシンにおいて遊技が行われる際の各部の状態を示す状態遷移図である。
【０１１１】
また、以下で説明する動作は、上記した種々の機能および手段と、説明は省略したが、メイン制御基板３２のメインＣＰＵ３１およびメダル貸出ユニット２００のユニット制御装置２４０のＣＰＵが種々のプログラムを実行することにより実現されるその他の機能とにより実行される処理である。また、以下の処理で実行される各種のフラグをＯＮ（オン）またはＯＦＦ（オフ）に設定したり、各種のフラグに値を設定したり、カウンタの値を更新する処理については、周知の技術であるので、その詳細な説明は省略する。
【０１１２】
１．貸出・返却処理
図１４および図１５を参照して貸出・返却処理について説明する。図１４および図１５は貸出・返却処理を示すフローチャートであって、図１５は図１４に続くフローチャートである。なお、貸出・返却処理はメダル貸出ユニット２００において繰り返し実行される処理である。
【０１１３】
また、貸出・返却処理が実行されているときに、スロットマシン１の貸出スイッチ１２が操作されると、スロットマシン１における遊技に使用可能なメダルが枚数データの形式で遊技者に貸し出される。また、貸出・返却処理が実行されているときに、スロットマシン１の返却スイッチ１３が操作されると、データ保持手段２４１に保持されている、スロットマシン１における遊技に使用可能なメダルの枚数データがメダルカードに記録されることにより、メダルが枚数データの形式で遊技者に返却される。また、返却スイッチ１３が操作されたときに、現金カード装置２３０に挿入された現金カードに残金が記録されていれば、当該現金カードがメダルカードと一緒に遊技者に返却される。
【０１１４】
貸出・返却処理では、まず、現金カード装置２３０に現金が投入されたか否か、もしくは、現金カードが挿入されたか否かが判定され（ステップＳ１）、現金が投入されるか、もしくは、現金カードが挿入されるまで待機する（ステップＳ１でＮＯ）。現金カード装置２３０に現金が投入されるか、もしくは、現金カードが挿入されると（ステップＳ１でＹＥＳ）、現金が投入されたか否かが判定される（ステップＳ２）。現金カード装置２３０に現金（例えばＡ円）が投入されると（ステップＳ２でＹＥＳ）、現金カード装置２３０に投入された現金の残高（Ａ円）が現金カード装置２３０内の現金カードに記録される（ステップＳ３）。ステップＳ３において現金カードに残高が記録された後、もしくは、ステップＳ２でＮＯ（現金カード装置２３０への現金カードの挿入）であれば、現金カード装置２３０に挿入状態の現金カードに記録されている残高が０円であるか否かが判定される（ステップＳ４）。現金カードの残高が０円でないと判定されれば（ステップＳ４でＮＯ）、貸出スイッチ１２および返却スイッチ１３の操作が有効化される（ステップＳ５）。
【０１１５】
続いて、スロットマシン１の貸出スイッチ１２が操作されたか否かが判定されて（ステップＳ６）、貸出スイッチ１２が操作されていれば（ステップＳ６でＹＥＳ）、現金カード装置２３０において、所定の貸出枚数（例えば５０枚）分のメダルの貸出料金（例えばＢ円）が徴収される（ステップＳ７）。そして、データ保持手段２４１（仮想下皿）に所定の貸出枚数分の枚数データが貸出手段２４２により加算されることによって、遊技者にメダルが枚数データの形式で貸し出されて（ステップＳ８）、ステップＳ４からの処理が繰り返し実行される。
【０１１６】
一方、ステップＳ６において、貸出スイッチ１２が操作されていないか（ステップＳ６でＮＯ）、もしくは、ステップＳ４でＹＥＳ（現金カードの残高が０円）であれば、スロットマシン１の返却スイッチ１３が操作されたか否かが判定される（ステップＳ９）。このとき、現金カードの残高が０円であれば、貸出スイッチ１２の操作が無効化される。返却スイッチ１３が操作されていなければ（ステップＳ９でＮＯ）、現金カード装置２３０に現金が投入されたか否かが判定されて（ステップＳ１０）、現金が投入されていなければ（ステップＳ１０でＮＯ）、ステップＳ４からの処理が繰り返し実行される。また、現金が投入されていれば（ステップＳ１０でＹＥＳ）、現金カードの残高に投入された金額が加算されて（ステップＳ１１）、ステップＳ４からの処理が繰り返し実行される。
【０１１７】
また、返却スイッチ１３が操作されたと判定されれば（ステップＳ９でＹＥＳ）、データ保持手段２１４に保持されている遊技に使用可能な枚数データが０枚であるか否かが判定される（ステップＳ１２）。データ保持手段２４１に保持されている遊技に使用可能なメダルの枚数データが０枚でなければ（ステップＳ１２でＮＯ）、データ保持手段２４１に保持されている遊技に使用可能なメダル枚数に関する枚数データが、返却手段２４５により、メダルカード装置２２０に挿入されたメダルカードに記録されることによって、メダルが枚数データの形式で遊技者に対して返却される（ステップＳ１３）。そして、メダルカード装置２２０に挿入されたメダルカードが返却される（ステップＳ１４）。なお、この際、データ保持手段２４１に保持されている枚数データが初期化される。
【０１１８】
そして、ステップＳ１４においてメダルカードが返却された後、もしくは、ステップＳ１２でＹＥＳ（データ保持手段２４１に保持されている遊技に使用可能なメダルの枚数データが０枚）であれば、続いて、現金カード装置２３０に挿入されている現金カードの残高が０円であるか否かが判定される（ステップＳ１５）。現金カードの残高が０円でなければ（ステップＳ１５でＮＯ）、現金カード装置２３０から残金が記録された現金カードが遊技者に対して返却される（ステップＳ１６）。そして、ステップＳ１６において現金カードが遊技者に対して返却された後、もしくは、ステップＳ１５でＹＥＳ（現金カードの残高が０円）であれば、ステップＳ１７に進み貸出スイッチ１２および返却スイッチ１３の操作が無効化され、ステップＳ１に戻って、再度、現金が投入されるか、現金カードが挿入されるまで待機する（ステップＳ１でＮＯ）。
【０１１９】
なお、遊技者は、ステップＳ１６において返却された残金が記録された現金カードを再度現金カード装置２３０に挿入することにより、現金カードに記録された残金に応じた枚数のメダルを借り受けることができる。
【０１２０】
２．メイン制御処理
図１６および図１７を参照してメイン制御処理について説明する。図１６および図１７はメイン制御処理を示すフローチャートであって、図１７は図１６に続くフローチャートである。なお、メイン制御処理はメイン制御基板３２において実行される処理である。
【０１２１】
スロットマシン１の電源がオンされれば、メイン制御基板３２が備えるＲＡＭ３３の状態がチェックされ、メモリにエラーが生じていないかどうかが判定されて、各種の初期設定が行われる。
【０１２２】
次に、各メモリのチェックが終了し、異常が無ければメダル貸出ユニット２００のデータ保持手段２４１（仮想下皿）に保持されている遊技に使用可能なメダルの枚数データが０枚であるか否かが判定され（ステップＳ１０１）、データ保持手段２４１にメダルが貸し出されるまで待機する（ステップＳ１０１でＹＥＳ）。データ保持手段２４１にメダルが枚数データの形式で貸し出されると（ステップＳ１０１でＮＯ）、ベットスイッチ７の操作が有効化され（ステップＳ１０２）、最大ベットスイッチ８の操作が有効化される（ステップＳ１０３）。
【０１２３】
続いて、最大ベットスイッチ８が操作されたか否かが判定され（ステップＳ１０４）、最大ベットスイッチ８が操作されていれば（ステップＳ１０４でＹＥＳ）、最大ベットスイッチ８の操作が有効化されているか否かが判定される（ステップＳ１０５）。そして、最大ベットスイッチ８の操作が有効化されていれば（ステップＳ１０５でＹＥＳ）、後述する最大ベット処理（図１８参照）が実行される（ステップＳ１０６）。
【０１２４】
そして、ステップＳ１０６において最大ベット処理が実行された後、もしくは、ステップＳ１０４でＮＯ（最大ベットスイッチ８が操作されていない場合）、ステップＳ１０５でＮＯ（最大ベットスイッチ８が有効化されていない場合）であれば、ベットスイッチ７が操作されたか否かが判定される（ステップＳ１０７）。ベットスイッチ７が操作されていれば（ステップＳ１０７でＹＥＳ）、ベットスイッチ７の操作が有効化されているか否かが判定される（ステップＳ１０８）。そして、ベットスイッチ７の操作が有効化されていれば（ステップＳ１０８でＹＥＳ）、後述するベット処理（図１９参照）が実行される（ステップＳ１０９）。
【０１２５】
そして、ステップＳ１０９においてベット処理が実行された後、もしくは、ステップＳ１０７でＮＯ（ベットスイッチ７が操作されていない場合）、ステップＳ１０８でＮＯ（ベットスイッチ７の操作が有効化されていない場合）であれば、精算スイッチ１１が操作されたか否かが判定される（ステップＳ１１０）。精算スイッチ１１が操作されていれば（ステップＳ１１０でＹＥＳ）、精算スイッチ１１の操作が有効化されているか否かが判定される（ステップＳ１１１）。そして、精算スイッチ１１の操作が有効化されていれば（ステップＳ１１１でＹＥＳ）、後述する投入精算処理（図２０参照）が実行される（ステップＳ１１２）。
【０１２６】
そして、ステップＳ１１２において投入精算処理が実行された後、もしくは、ステップＳ１１０でＮＯ（精算スイッチ１１が操作されていない場合）、ステップＳ１１１でＮＯ（精算スイッチ１１の操作が有効化されていない場合）であれば、スタートスイッチ９が操作されたか否かが判定される（ステップＳ１１３）。スタートスイッチ９が操作されていなければ（ステップＳ１１３でＮＯ）、ステップＳ１０４からの処理を繰り返し実行する。なお、ベットスイッチ７または最大ベットスイッチ８の操作により、所定枚数分の賭け数が設定されていなければ、スタートスイッチ９の操作は無効化されており、ステップＳ１１３においてＮＯと判定される。本実施の形態では、上記したように、１枚、２枚、３枚のいずれかの賭け数が設定されていれば、スタートスイッチ９の操作が有効化される。
【０１２７】
一方、スタートスイッチ９が操作されれば（ステップＳ１１３でＹＥＳ）、各ベットスイッチ７，８、スタートスイッチ９および精算スイッチ１１が無効化されて、遊技処理が実行される（ステップＳ１１４）。ステップＳ１１４の遊技処理においては、抽選手段６０による役抽選処理が実行され、各々複数個の図柄が配列された複数の回転リール６Ｌ，６Ｍ，６Ｒが回転を開始する。そして、各ストップスイッチ１０Ｌ，１０Ｍ，１０Ｒの操作に応じて停止制御手段７０により各回転リール６Ｌ，６Ｍ，６Ｒが停止したときの停止図柄表示結果が、判定手段８０により判定される。
【０１２８】
ステップＳ１１４の遊技処理が終了すると、判定手段８０による判定結果が、リプレイ（再遊技役）への入賞であったか否かが判定され（ステップＳ１１５）、リプレイに入賞していれば（ステップＳ１１５でＹＥＳ）、スタートスイッチ９の操作が有効化された状態、かつ、ベットスイッチ７および最大ベットスイッチ８の操作が無効化された状態で、すなわち、所定枚数分の賭け数が設定された状態でステップＳ１１３からの処理が繰り返し実行される。なお、リプレイへ入賞した場合には所定枚数分の賭け数は設定されるが、メダルの疑似投入は行われていないので、投入メダル計数部１４２に計数されている疑似投入枚数は０枚であり、精算スイッチ１１の操作は無効化されている。次に、判定手段８０による判定結果が、リプレイへの入賞でなければ（ステップＳ１１５でＮＯ）、判定手段８０による判定結果が、所定の当選役への入賞であるか否かが判定される（ステップＳ１１６）。
【０１２９】
判定手段８０による判定結果が、所定の当選役への入賞であれば（ステップＳ１１６でＹＥＳ）、当該入賞役に対応して予め設定されている払出枚数がメダルの疑似払出の払出枚数として払出メダル計数部１５２に設定され（ステップＳ１１７）、後述する払出処理（図２１参照）が実行される（ステップＳ１１８）。なお、払出枚数は、当選役（入賞役）の種類に対応して予め設定されている。そして、ステップＳ１１８において払出処理が実行された後、もしくは、ステップＳ１１６でＮＯ（判定手段８０による判定結果が入賞でなかった場合）であれば、ステップＳ１０１からの処理が繰り返し実行される。
【０１３０】
３．最大ベット処理
図１８を参照して最大ベット処理について説明する。図１８は最大ベット処理を示すフローチャートである。
【０１３１】
まず、疑似投入されることにより設定された現在のメダルの賭け数が０枚であるか否かが判定される（ステップＳ２０１）。設定されている賭け数が０枚でなければ（ステップＳ２０１でＮＯ）、すなわち、ベットスイッチ７の操作により１枚以上のメダルが疑似投入されていれば、後述する投入精算処理が実行されることにより（ステップＳ２０２）、疑似投入された枚数分のメダルの疑似払出が行われて、一旦、設定された賭け数が初期化される。
【０１３２】
そして、ステップＳ２０２において投入精算処理が実行されて賭け数が初期化されるか、もしくは、ステップＳ２０１でＹＥＳ（賭け数が設定されていない場合）であれば、疑似投入用作動制御部１４１により投入・払出装置１００の駆動部１３０のモータが駆動されることによって、メダル保持手段１０２（固定部材１２０）の正面視における反時計回り方向への回転が開始される（ステップＳ２０３）。続いて、投入・払出装置１００の投入センサ１１５からメダル検出信号が出力されるまで待機し（ステップＳ２０４でＮＯ）、メダル検出信号が出力されれば（ステップＳ２０４でＹＥＳ）、１枚のメダルの疑似投入が行われたことが投入メダル計数部１４２により計数されると共に、メダル貸出ユニット２００のデータ保持手段２４１（仮想下皿）から疑似投入された１枚分の枚数データが減算手段２４３により減算される（ステップＳ２０５）。
【０１３３】
続いて、データ保持手段２４１に保持されている枚数データが０枚であるか否かが判定され（ステップＳ２０６）、保持されている枚数データが０枚でなければ（ステップＳ２０６でＮＯ）、投入メダル計数部１４２により計数されたメダルの疑似投入枚数が規定枚数（例えば３枚）であるか否かが判定される（ステップＳ２０７）。疑似投入枚数が規定枚数に達していなければ（ステップＳ２０７でＮＯ）、ステップＳ２０４からの処理が繰り返し実行される。
【０１３４】
そして、疑似投入枚数が規定枚数に達したか（ステップＳ２０７でＹＥＳ）、もしくは、ステップＳ２０６でＹＥＳ（データ保持手段２４１に保持されている枚数データが０枚の場合）であれば、疑似投入用作動制御部１４１により投入・払出装置１００の駆動部１３０のモータの回転が停止されると共に、スタートスイッチ９の操作が有効化される（ステップＳ２０８）。続いて、精算スイッチ１１の操作が有効化され（ステップＳ２０９）、最大ベットスイッチ８の操作が無効化されて（ステップＳ２１０）、元の処理に復帰する。
【０１３５】
４．ベット処理
図１９を参照してベット処理について説明する。図１９はベット処理を示すフローチャートである。なお、本実施の形態では、図１３の状態遷移図に示すように、ベットスイッチ７が操作された際に、既に最大ベットスイッチ８が操作されメダルが疑似投入されて賭け数が設定されている場合には、疑似投入された枚数分のメダルの疑似払出が行われることにより、一旦、設定された賭け数が初期化される。
【０１３６】
まず、最大ベットスイッチ８の操作が有効化されているか否かが判定されることにより（ステップＳ３０１）、図１８の最大ベット処理が既に実行されているか否かが判定される。すなわち、図１８の最大ベット処理が既に実行されていれば、ステップＳ２１０において最大ベットスイッチ８の操作が無効化されるので、最大ベットスイッチ８の操作が有効化されているか否かを判定することにより、図１８の最大ベット処理が既に実行されたか否かを判定することができる。
【０１３７】
図１８の最大ベット処理が既に実行されており、最大ベットスイッチ８の操作が無効化されていれば（ステップＳ３０１でＮＯ）、後述する投入精算処理が実行されることにより（ステップＳ３０２）、疑似投入された枚数分のメダルの疑似払出が行われて、一旦、設定された賭け数が初期化される。そして、ステップＳ３０２において投入精算処理が実行されて賭け数が初期化されるか、もしくは、ステップＳ３０１でＹＥＳ（最大ベットスイッチ８が操作されていない場合）であれば、疑似投入用作動制御部１４１により投入・払出装置１００の駆動部１３０のモータが駆動されることによって、メダル保持手段１０２（固定部材１２０）の正面視における反時計回り方向への回転が開始される（ステップＳ３０３）。
【０１３８】
続いて、投入・払出装置１００の投入センサ１１５からメダル検出信号が出力されるまで待機し（ステップＳ３０４でＮＯ）、メダル検出信号が出力されれば（ステップＳ３０４でＹＥＳ）、疑似投入用作動制御部１４１により投入・払出装置１００の駆動部１３０のモータの回転が停止されると共にスタートスイッチ９の操作が有効化される（ステップＳ３０５）。そして、１枚のメダルの疑似投入が行われたことが投入メダル計数部１４２により計数されると共に、メダル貸出ユニット２００のデータ保持手段２４１（仮想下皿）から疑似投入された１枚分の枚数データが減算手段２４３により減算される（ステップＳ３０６）。
【０１３９】
次に、データ保持手段２４１に保持されている枚数データが０枚であるか否かが判定され（ステップＳ３０７）、保持されている枚数データが０枚でなければ（ステップＳ３０７でＮＯ）、投入メダル計数部１４２により計数されたメダルの疑似投入枚数が規定枚数（例えば３枚）であるか否かが判定される（ステップＳ３０８）。疑似投入枚数が規定枚数に達していなければ（ステップＳ３０８でＮＯ）、精算スイッチ１１の操作が有効化されて（ステップＳ３１０）、元の処理に復帰する。
【０１４０】
また、疑似投入枚数が規定枚数に達したか（ステップＳ３０８でＹＥＳ）、もしくは、ステップＳ３０７でＹＥＳ（データ保持手段２４１に保持されている枚数データが０枚）であれば、ベットスイッチ７の操作が無効化され（ステップＳ３０９）、精算スイッチ１１の操作が有効化されて（ステップＳ３１０）、元の処理に復帰する。
【０１４１】
５．投入精算処理
図２０を参照して投入精算処理について説明する。図２０は投入精算処理を示すフローチャートである。
【０１４２】
まず、賭け数として設定されているメダルの疑似投入枚数が払出枚数として払出メダル計数部１５２に設定されて（ステップＳ４０１）、後述する払出処理が実行される（ステップＳ４０２）。続いて、精算スイッチ１１の操作が無効化され（ステップＳ４０３）、ベットスイッチ７の操作が有効化され（ステップＳ４０４）、最大ベットスイッチ８の操作が有効化されて（ステップＳ４０５）、元の処理に復帰する。
【０１４３】
６．払出処理
図２１を参照して払出処理について説明する。図２１は払出処理を示すフローチャートである。
【０１４４】
まず、疑似払出用作動制御部１５１により投入・払出装置１００の駆動部１３０のモータが駆動されることによって、メダル保持手段１０２（固定部材１２０）の正面視における時計回り方向への回転が開始される（ステップＳ５０１）。続いて、投入・払出装置１００の払出センサ１２５からメダル検出信号が出力されるまで待機し（ステップＳ５０２でＮＯ）、メダル検出信号が出力されれば（ステップＳ５０２でＹＥＳ）、１枚のメダルの疑似払出が行われたことが払出メダル計数部１５２により計数されると共に、メダル貸出ユニット２００のデータ保持手段２４１（仮想下皿）に疑似払出された１枚分の枚数データが加算手段２４４により加算される（ステップＳ５０３）。
【０１４５】
なお、本実施の形態では、図２１の払出処理が実行される前に、図１７のステップＳ１１７や図２０のステップＳ４０１において、入賞枚数や疑似投入枚数が払出枚数として払出メダル計数部１５２に予め設定されている。そして、１枚のメダルの疑似払出が行われると（メダル検出信号が１回出力されると）、ステップＳ５０３において、予め設定された払出枚数から１減算されることにより、１枚のメダルの疑似払出が行われたことが払出メダル計数部１５２により計数される。
【０１４６】
続いて、予め設定された払出枚数分の疑似払出が行われたか否かが判定され（ステップＳ５０４）、疑似払出枚数が予め設定された払出枚数に達していなければ（ステップＳ５０４でＮＯ）、ステップＳ５０２からの処理が繰り返し実行される。そして、疑似投入枚数が予め設定された払出枚数に達すれば（ステップＳ５０４でＹＥＳ）、疑似払出用作動制御部１５１により投入・払出装置１００の駆動部１３０のモータの回転が停止されて（ステップＳ５０５）、元の処理に復帰する。
【０１４７】
以上のように、この実施形態では、封入メダルＭを封入状態で保持するメダル保持手段１０２が駆動部１３０により駆動されることによって、メダル保持手段１０２に保持された封入メダルＭが所定の検出位置Ｐ１，Ｐ２を通過する。そして、所定の検出位置Ｐ１，Ｐ２を封入メダルＭが通過したことが投入センサ１１５または払出センサ１２５により検出されてメダル検出信号が出力され、メダル検出信号から、所定の検出位置Ｐ１，Ｐ２を封入メダルが通過した回数が投入メダル計数部１４２または払出メダル計数部１５２により計数される。
【０１４８】
また、メダル保持手段１０２は、１枚の封入メダルＭを担持する少なくとも１個のメダル担持体１１０を備えており、メダル担持体１１０には両センサ１１５，１２５それぞれにより検出される被検出片１１２が設けられている。また、メダル担持体１１０は、メダル保持手段１０２が備える固定部材１２０に透設された複数の孔１２１のいずれかに着脱自在に取着されることにより、固定部材１２０上の任意の位置に配置される。そして、固定部材１２０が駆動部１３０により駆動されてメダル担持体１１０に担持された封入メダルＭが所定の検出位置Ｐ１，Ｐ２を通過する際に、被検出片１１２が両センサ１１５，１２５それぞれにより検出されてメダル検出信号が出力される。
【０１４９】
そのため、投入センサ１１５および払出センサ１２５は、それぞれ、メダル担持体１１０に設けられた被検出片１１２を検出することにより、封入メダルＭが所定の検出位置Ｐ１，Ｐ２を通過したことを検出することができるので、従来の検知用ディスクのような封入メダル検出用の部材を別途用意する必要がない。また、封入メダルＭを担持するメダル担持体１１０に被検出片１１２が設けられており、メダル担持体１１０が固定部材１２０が有する各孔１２１のいずれに取着されたとしても、封入メダルＭと被検出片１１２との配置関係が変化するおそれがない。
【０１５０】
そのため、封入メダルＭを担持するメダル担持体１１０が、各孔１２１のうちから任意に選択された孔１２１に取着されることにより、封入メダルＭを固定部材１２０上の任意の位置に配置することができる。また、固定部材１２０に取着されるメダル担持体１１０の個数を変化させることにより、メダル保持手段１０２により保持される封入メダルＭの枚数を変化させることができる。したがって、封入メダルＭを所定の検出位置Ｐ１，Ｐ２を通過可能に封入状態で保持するメダル保持手段１０２の設計変更を容易に行うことができる。
【０１５１】
また、固定部材１２０に複数の取付部として複数の孔１２１が形成されて、メダル担持体１１０に設けられたフック体１１１が固定部材１２０の孔１２１に挿入されることにより、メダル担持体１１０が固定部材１２０に取着されるので、ワンタッチで簡単にメダル担持体１１０を固定部材１２０の孔１２１が形成された位置に取着することができる。
【０１５２】
また、各々複数個の図柄が配列された各回転リール６Ｌ，６Ｍ，６Ｒの回転を開始させるのに、所定枚数の賭け数を設定するためのベットスイッチ７または最大ベットスイッチ８の操作が行われると、賭け数を設定するための投入・払出装置１００（投入制御手段１４０）による疑似投入が行われる。また、投入・払出装置１００によるメダルの疑似投入が行われて、遊技に使用可能なメダル枚数に関する枚数データを保持するデータ保持手段２４１から所定枚数分の枚数データが減算手段２４３により減算されて、所定枚数の賭け数が設定されることを条件としてスタートスイッチ９が操作されると、各回転リール６Ｌ，６Ｍ，６Ｒが回転開始する。
【０１５３】
また、各ストップスイッチ１０Ｌ，１０Ｍ，１０Ｒの操作により各回転リール６Ｌ，６Ｍ，６Ｒが停止したときの図柄の表示結果が所定の入賞態様であるかどうかが判定手段８０により判定される。また、判定手段８０により停止図柄表示結果が所定の入賞態様であると判定されると、投入・払出装置１００（払出制御手段１５０）による疑似払出が行われる。また、投入・払出装置１００による疑似払出が行われて、入賞態様の種類に対応して予め設定された所定の払出枚数分の枚数データがデータ保持手段２４１に加算手段２４４により加算される。
【０１５４】
ところで、ベットスイッチ７または最大ベットスイッチ８の操作に応じて投入・払出装置１００による疑似投入が許容されると、メダル担持体１１０に封入状態で保持された少なくとも１枚の封入メダルＭが、疑似投入用作動制御部１４１により駆動部１３０のモータが回転駆動されて固定部材１２０が回転することにより移動開始する。そして、検出位置Ｐ１を通過する封入メダルＭが投入センサ１１５により検出されてメダル検出信号が出力される。
【０１５５】
また、検出位置Ｐ１を封入メダルＭが通過した回数、すなわち、メダル検出信号の出力回数が疑似投入枚数として、所定枚数の賭け数が設定されるまで投入メダル計数部１４２により計数される。そして、投入メダル計数部１４２により計数されたメダル検出信号の出力回数分の枚数データが、枚数データを保持するデータ保持手段２４１から疑似投入枚数として減算手段２４３により減算される。
【０１５６】
また、判定手段８０による停止図柄表示結果が所定の入賞態様であるとの判定結果に応じて、投入・払出装置１００による疑似払出が許容されると、メダル担持体１１０に封入状態で保持された少なくとも１枚の封入メダルＭが、疑似払出用作動制御部１５１により駆動部１３０のモータが回転駆動されて固定部材１２０が回転することにより移動開始する。そして、検出位置Ｐ２を通過する封入メダルＭが払出センサ１２５により検出されてメダル検出信号が出力される。
【０１５７】
また、検出位置Ｐ２を封入メダルＭが通過した回数、すなわち、メダル検出信号の出力回数が疑似払出枚数として、入賞態様に応じて設定された所定の払出枚数に達するまで払出メダル計数部１５２により計数される。そして、払出メダル計数部１５２により計数されたメダル検出信号の出力回数分の枚数データが、枚数データを保持するデータ保持手段２４１に疑似払出枚数として加算手段２４４により加算される。
【０１５８】
以上のように、メダル保持手段１０２に保持された封入メダルＭを介した疑似投入により、枚数データを保持するデータ保持手段２４１から所定枚数分の枚数データを疑似投入枚数として減算して遊技の賭け数を設定することができる。また、メダル保持手段１０２に保持された封入メダルＭを介した疑似払出により、枚数データを保持するデータ保持手段２４１に所定の払出枚数分の枚数データを疑似払出枚数として加算して遊技者に所定の利益を付与することができる。そのため、従来のクレジット機能と異なり、データ保持手段２４１が保持する枚数データの上限枚数が法規制による制限を受けない。したがって、データ保持手段２４１に保持される枚数データを介して遊技を行うことにより、遊技者がメダルに触れることなく遊技をすることが可能な封入式のスロットマシン１を提供することができる。したがって、メダル投入の煩わしさを低減したり、偽造メダル対策などのセキュリティの向上を図り、メダルに関連する不正を予防することができる。また、従来、遊技を行うために大量に必要であった消耗品であるメダルが不要であるため、エコな構成のスロットマシンを提供することができる。
【０１５９】
また、疑似投入の際にメダル保持手段１０２のメダル担持体１１０に担持されて移動する封入メダルＭの移動状態を疑似投入メダル視認用窓１０３を介して視認することができる。また、疑似払出の際にメダル保持手段１０２のメダル担持体１１０に担持されて移動する移動する封入メダルＭの移動状態を疑似払出メダル視認用窓１０４を介して視認することができる。したがって、遊技者は疑似投入が行われていることや、入賞することによる利益が付与されていることを実感することができる。したがって、遊技者の遊技に対する興趣を高めることができる。
【０１６０】
なお、疑似投入および疑似払出において共通して使用される１か所の検出位置を設定し、当該検出位置を通過する封入メダルＭを検出する１つのセンサ（メダル検出手段）のメダル検出信号に基づいて、疑似投入枚数および疑似払出枚数の両方を計数するようにしてもよい。この場合には、疑似投入および疑似払出において共通して使用されるメダル視認用窓を当該検出位置に設けるとよい。また、上記した実施形態と同様に、共通して使用される当該検出位置を通過する封入メダルＭを検出する２つセンサ（メダル検出手段）を用意し、一方のセンサのメダル検出信号に基づいて疑似投入枚数を計数し、他方のセンサのメダル検出信号に基づいて疑似払出枚数を計数するようにしてもよい。
【０１６１】
また、この実施形態では、疑似投入および疑似払出それぞれに対して共通して使用されるメダル保持手段１０２を用意したが、疑似投入に対して疑似投入用のメダル保持手段１０２および投入センサ１１５を用意し、疑似払出に対して疑似払出用のメダル保持手段１０２および払出センサ１２５を用意してもよい。この場合には、疑似投入用のメダル保持手段１０２に対して１か所の検出位置Ｐ１を設定し、検出位置Ｐ１を封入メダルＭが通過したことを投入センサ１１５により検出すればよい。また、疑似払出用のメダル保持手段１０２に対して１か所の検出位置Ｐ２を設定し、検出位置Ｐ２を封入メダルＭが通過したことを払出センサ１２５により検出すればよい。また、この場合には、駆動部１３０が、両メダル保持手段１０２を個別に回転駆動することができるように、それぞれの回転軸に個別に連結される２個のモータを備えていてもよいし、１個のモータにより両メダル保持手段１０２が回転駆動されるようにしてもよい。
【０１６２】
また、疑似投入メダル視認用窓１０３および疑似払出メダル視認用窓１０４を介して封入メダルＭを常に視認できるように構成してもよいし、疑似投入時には疑似投入メダル視認用窓１０３からのみ封入メダルＭを視認でき、疑似払出時には疑似払出メダル視認用窓１０４からのみ封入メダルＭを視認できるようにしてもよい。
【０１６３】
また、疑似投入の際と疑似払出の際とで、各封入メダルＭが同じ方向に移動するようにしてもよい。
【０１６４】
＜第２実施形態＞
本発明の第２実施形態について図２２〜図２４を参照して説明する。図２２は本発明の第２実施形態にかかる投入・払出装置を示す図であって、（ａ）は正面図、（ｂ）は右側面図である。また、図２３は図２２の投入・払出装置が備えるメダル担持体を示す図であって、（ａ）は正面図、（ｂ）は下面図、（ｃ）は左側面図、（ｄ）は右側面図である。また、図２４は図２２の投入・払出装置が備える固定部材を示す図であって、（ａ）は正面図、（ｂ）は（ａ）の右側面図である。なお、図２２では説明を簡易なものとするために、正面板１０１や駆動部１３０などが図示省略されている。
【０１６５】
この実施形態が上記した第１実施形態と異なるのは、図２２（ａ），（ｂ）に示すように、投入・払出装置１００ａ（本発明の「メダル検出装置」に相当）のメダル保持手段１０２ａの構成が異なる点である。また、この実施形態では、図２２（ａ）中に点線で示す位置に、メダルの疑似投入の際、および、メダルの疑似払出の際の両方において、移動する封入メダルＭを遊技者が視認できるようにメダル視認用窓１０５が設けられている。その他の構成および動作については上記した第１実施形態と同様であるため、以下では、上記した第１実施形態と異なる点を中心に説明を行い、上記した第１実施形態と同様の構成および動作については、同一符号を引用することによりその説明は省略する。
【０１６６】
メダル保持手段１０２ａは、１枚の封入メダルＭを担持するメダル担持体１６０と、メダル担持体１６０がその外周面に着脱自在に取着される円筒状の固定部材１７０とを備えている。図２２（ａ），（ｂ）に示すように、本実施の形態では、８個のメダル担持体１６０が固定部材１７０の外周面に等間隔で周方向に並べて取着されている。
【０１６７】
メダル担持体１６０は、図２３（ａ）〜（ｄ）に示すように、その正面側に封入メダルＭを担持する正面視略矩形状の保持部１６０ａと、保持部１６０ａの端縁から裏面側に向って延出して設けられた側壁１６０ｂとを有し、キャップ状に形成されている。また、図２３（ｃ），（ｄ）に示すように、左右の側壁１６０ｂそれぞれの端縁１６０ｂ１は、メダル担持体１６０が固定部材１７０の外周面に取着された際に該外周面に隙間なく配置されるように、円弧状に形成されている。また、メダル担持体１６０の保持部１６０ａの正面側には凹部が設けられており、凹部内に封入メダルＭが配置されることにより、封入メダルＭが、取り出しができないように凹部内に封入された状態でメダル担持体１６０に担持されている。
【０１６８】
また、図２３（ａ），（ｄ）に示すように、メダル担持体１６０の保持部１６０ａの裏面側のほぼ中央部に、２個のフック体１６１が鉤形の先端が互いに反対側を向くように背中合わせに配置されて立設されている。また、両フック体１６１は、正面視において上下方向に並べ配置されている。また、図２３（ａ）〜（ｄ）に示すように、メダル担持体１６０の保持部１６０ａの裏面側の左寄りの位置に短冊状の板部材により形成された被検出片１６２が立設されている。
【０１６９】
固定部材１７０は、図２４（ａ），（ｂ）に示すように、円筒状の部材により形成され、円筒状の部材の外周面に、メダル担持体１６０のフック体１６１が挿入される複数の孔１７１（本発明の「取付部」に相当）と、メダル担持体１６０の被検出片１６２が挿入される複数の孔１７２とが形成されている。また、複数の孔１７１は、円筒状の部材の外周面の幅方向におけるほぼ中央位置に、周方向に沿って並べて配置され、複数の孔１７２は、円筒状の部材の外周面の幅方向における左寄りの位置に、周方向に沿って並べて配置されている。また、両孔１７１，１７１２それぞれは同じ数だけ形成されている。そして、１個のメダル担持体１６０を固定部材１７０の外周面に取着するための孔１７１と孔１７２との組が、円筒状の固定部材１７０の外周面の幅方向に並べて配置されている。また、本実施の形態では、固定部材１７０の側面視方向における円形状の中心位置に図示省略された回転軸が設けられている。
【０１７０】
また、メダル担持体１６０は、次のようにして固定部材１７０の外周面の任意の位置に取着される。すなわち、まず、固定部材１７０に形成された複数の孔１７１のうち、メダル担持体１６０を取着する孔１７１が決定される。次に、メダル担持体１６０が、固定部材１７０の外周面の当該メダル担持体１６０が取着される孔１７１が形成された位置に配置される。そして、メダル担持体１６０の被検出片１６２が、メダル担持体１６０が取着される孔１７１と組を成す孔１７２に表面側から挿入されつつ、メダル担持体１６０の両フック体１６１が孔１７１に表面（一方）側から挿入され、裏面（他方）側に突出する両フック体１６１の鉤が、固定部材１７０の裏面側において孔１７１の端縁部分に係止することにより、メダル担持体１６０が固定部材１７０に取着される。
【０１７１】
なお、本実施の形態では、図２２（ｂ）に示すように、８個のメダル担持体１６０が、固定部材１７０の右側面視において回転軸（図示省略）を中心として中心角を４５°ずつずらしながら、固定部材１７０の外周面に周方向に沿って互いに密接するように配置されて取着されている。そして、固定部材１７０が図示省略された回転軸を回転中心として回転することにより、固定部材１７０と各メダル担持体１６０とが一体的に回転し、各メダル担持体１６０それぞれに担持された封入メダルＭが円周状に設定された所定経路を通るように回転移動する。
【０１７２】
また、メダル保持手段１０２ａ（メダル担持体１６０、固定部材１７０）が回転することにより、円周状に設定された所定経路を通るように移動する各封入メダルＭは、図２２（ａ）中に点線で示すメダル視認用窓１０５を通過することにより遊技者に視認される。
【０１７３】
なお、本実施の形態では、各メダル担持体１６０それぞれに担持された封入メダルＭが固定部材１７０の外周面上に密接して連続的に配置されているので、メダル保持手段１０２ａが回転することにより、メダル視認用窓１０５を通る各封入メダルＭは連続的に遊技者により視認される。また、本実施の形態では、メダル保持手段１０２ａ（固定部材１７０）は、疑似投入または疑似払出に応じて、回転軸を回転中心として両方向のいずれか一方の方向に回転する。したがって、遊技者から見ると、メダル保持手段１０２ａが両方向に回転することにより封入メダルＭはメダル視認用窓１０５において上下方向に移動する。
【０１７４】
また、本実施の形態では、疑似投入および疑似払出の両方において用いられる検出位置Ｐがメダル視認用窓１０５の位置に設定されており、メダル視認用窓１０５を通過した封入メダルＭがスロットマシン１に疑似投入される、または、スロットマシン１から疑似払出される。なお、本実施の形態では、メダル保持手段１０２ａ（固定部材１７０）は、疑似投入の際に右側面視おいて一方の方向に回転駆動されることにより、封入メダルＭはメダル視認用窓１０５において上下方向のいずれか一方の方向に移動する。また、メダル保持手段１０２ａ（固定部材１７０）は、疑似払出の際に右側面視において他方の方向に回転駆動されることにより、封入メダルＭはメダル視認用窓１０５において上下方向のいずれか他方の方向に移動する。
【０１７５】
また、メダル視認用窓１０５の位置に設定された疑似投入および疑似払出の両方に用いられる検出位置Ｐを通過する封入メダルＭを検出するための投入・払出センサ１６５（本発明の「メダル検出手段」に相当）が配設されている。
【０１７６】
投入・払出センサ１６５は、図２２（ｂ）に示すように、発光部および検出部を有し、発光部と検出部との間を各メダル担持体１６０それぞれに一体的に設けられた被検出片１６２が通過するように配設されることにより、通常状態では、発光部の光が検出部に届くようになっている。そして、各封入メダルＭが回転移動することにより、封入メダルＭがメダル視認用窓１０５を通過すると、当該封入メダルＭを担持するメダル担持体１６０に設けられた被検出片１６２が投入・払出センサ１６５の位置を通過する。このとき、被検出片１６２が投入・払出センサ１６５の発光部と検出部との間を通過することにより、検出部に届いていた発光部の光が被検出片１６２により遮断される。したがって、被検出片１６２が発光部と検出部との間を通過したことが検出部により検出される。
【０１７７】
このように、メダル担持体１６０に担持された封入メダルＭが所定の検出位置Ｐ（メダル視認用窓１０５）を通過するタイミングで、当該メダル担持体１６０に設けられた被検出片１６２が投入・払出センサ１６５の位置を通過する。したがって、検出位置Ｐを通過する封入メダルＭを、メダル担持体１６０に設けられた被検出片１６２を介して投入・払出センサ１６５により検出することができる。そして、封入メダルＭが検出位置Ｐを通過したことが投入・払出センサ１６５により検出されると、投入・払出センサ１６５の検出部からメダル検出信号がメイン制御基板３２に対して出力される。
【０１７８】
また、上記した第１実施形態と同様に、駆動部１３０のモータの回転軸が、固定部材１７０の回転軸にクラッチ等のギア機構を介して連結されている。したがって、疑似投入の際に固定部材１７０が右側面視において駆動部１３０により一方の方向に回転駆動されることにより、各メダル担持体１６０それぞれに担持された封入メダルＭが正面視において上下方向のいずれか一方の方向に移動して検出位置Ｐを通過する。また、疑似払出の際に固定部材１７０が右側面視において駆動部１３０により他方の方向に回転駆動されることにより、各メダル担持体１６０それぞれに担持された封入メダルＭが正面視において上下方向のいずれか他方の方向に移動して検出位置Ｐを通過する。
【０１７９】
（使用例）
投入・払出装置１００ａのメダル保持手段１０２ａの使用例について図２５および図２６を参照して説明する。図２５は投入・払出装置のメダル保持手段の使用例の一例を示す図であって、（ａ）は正面図、（ｂ）は（ａ）の右側面図である。また、図２６は投入・払出装置のメダル保持手段の使用例の他の例を示す図であって、（ａ）〜（ｄ）それぞれは異なる使用例を示す図である。なお、メダル担持体１６０および固定部材１７０の構成については上記した構成と同様であるため、同一符号を引用することによりその構成の説明は省略する。
【０１８０】
図２５（ａ），（ｂ）に示す例では、６個のメダル担持体１６０が、固定部材１７０の右側面視において回転軸（図示省略）を中心として中心角を６０°ずつずらしながら、固定部材１７０の外周面に周方向に沿って配置されて取着されている。図２５に示す例では、メダル保持手段１０２ａに保持される封入メダルＭの数を減らして、各封入メダルＭが所定間隔を開けて等間隔に配置されている。したがって、メダル保持手段１０２ａが回転することにより、メダル視認用窓１０５を通る各封入メダルＭは間欠的に遊技者により視認される。
【０１８１】
図２６（ａ）に示す例では、４個のメダル担持体１６０が、固定部材１７０の右側面視において回転軸を中心として中心角を９０°ずつずらしながら、固定部材１７０の外周面に周方向に沿って配置されて取着されている。図２６（ｂ）に示す例では、３個のメダル担持体１６０が、固定部材１７０の右側面視において回転軸を中心として中心角を１２０°ずつずらしながら、固定部材１７０の外周面に周方向に沿って配置されて取着されている。図２６（ａ），（ｂ）に示す例では、メダル保持手段１０２ａに保持される封入メダルＭの数を減らして、各封入メダルＭが所定間隔を開けて等間隔に配置されている。したがって、メダル保持手段１０２ａが回転することにより、メダル視認用窓１０５を通る各封入メダルＭは間欠的に遊技者により視認される。
【０１８２】
図２６（ｃ）に示す例では、４個のメダル担持体１６０が、右側面視において回転軸を中心として中心角を４５°ずつずらしながら、固定部材１７０の外周面に周方向に沿って互いに密接するように配置されて取着され、２個のメダル担持体１６０が、右側面視において回転軸を中心として中心角を６０°ずらして固定部材１７０の外周面に周方向に沿って配置されて取着されている。図２６（ｄ）に示す例では、３個のメダル担持体１６０が、右側面視において回転軸を中心として中心角を４５°ずつずらしながら、固定部材１７０の外周面に周方向に沿って互いに密接するように配置されて取着され、２個のメダル担持体１６０が、右側面視において回転軸を中心として中心角を１２０°ずらして固定部材１７０の外周面に周方向に沿って配置されて取着されている。
【０１８３】
図２６（ｃ），（ｄ）に示す使用例では、所定数の封入メダルＭが密接配置されると共に、２個の封入メダルＭが所定間隔を開けて配置されている。したがって、メダル保持手段１０２ａが回転することにより、メダル視認用窓１０５を通る各封入メダルＭが、連続的に遊技者により視認される期間と、間欠的に遊技者により視認される期間とを交互に出現させることができる。
【０１８４】
以上のように、固定部材１７０に取着されるメダル担持体１６０（封入メダルＭ）の個数を変更したり、固定部材１７０上でのメダル担持体１６０（封入メダルＭ）の配置位置を変更したりすることにより、メダル視認用窓１０５を介して遊技者に視認される封入メダルＭの見え方を変化させることができる。
【０１８５】
以上のように、この実施形態では、上記した第１実施形態と同様の効果を奏することができる。
【０１８６】
なお、疑似投入および疑似払出の両方に共通して使用される検出位置Ｐを通過する封入メダルＭを検出する２つセンサ（メダル検出手段）を用意し、一方のセンサのメダル検出信号に基づいて疑似投入枚数を計数し、他方のセンサのメダル検出信号に基づいて疑似払出枚数を計数するようにしてもよい。また、疑似投入の際と疑似払出の際とで、各封入メダルＭが同じ方向に移動するようにしてもよい。
【０１８７】
また、この実施形態では、疑似投入および疑似払出それぞれに対して共通して使用されるメダル保持手段１０２ａを用意したが、疑似投入に対して疑似投入用のメダル保持手段１０２ａおよび投入センサ１１５を用意し、疑似払出に対して疑似払出用のメダル保持手段１０２ａおよび払出センサ１２５を用意してもよい。この場合には、疑似投入用のメダル保持手段１０２ａに対して１か所の検出位置Ｐを設定し、検出位置Ｐを封入メダルＭが通過したことを投入センサ１１５により検出すればよい。また、疑似払出用のメダル保持手段１０２ａに対して１か所の検出位置Ｐを設定し、検出位置Ｐを封入メダルＭが通過したことを払出センサ１２５により検出すればよい。また、この場合には、駆動部１３０が、両メダル保持手段１０２ａを個別に回転駆動することができるように、それぞれの回転軸に個別に連結される２個のモータを備えていてもよいし、１個のモータにより両メダル保持手段１０２が回転駆動されるようにしてもよい。
【０１８８】
また、２個のメダル保持手段１０２ａが用意されている場合に、両方のメダル視認用窓１０５を介して封入メダルＭを常に視認できるように構成してもよいし、疑似投入時には疑似投入用のメダル保持手段１０２ａのメダル視認用窓１０５からのみ封入メダルＭを視認でき、疑似払出時には疑似払出用のメダル保持手段１０２ａのメダル視認用窓１０５からのみ封入メダルＭを視認できるようにしてもよい。
【０１８９】
＜第３実施形態＞
本発明の第３実施形態について図２７を参照して説明する。図２７は本発明の第３実施形態にかかる投入・払出装置のメダル担持体の下面図である。
【０１９０】
この実施形態が上記した第１実施形態と異なるのは、図２７に示すように、メダル担持体１１０に設けられた両フック体１１１，１１１ａのうち、フック体１１１ａが本発明の「被検出片」として機能している点である。その他の構成および動作については上記した第１実施形態と同様であるため、以下では、上記した第１実施形態と異なる点を中心に説明を行い、上記した第１実施形態と同様の構成および動作については、同一符号を引用することによりその説明は省略する。
【０１９１】
フック体１１１ａは、図２７に示すように、フック体１１１よりも長く形成された短冊状の部材により形成されている。また、フック体１１１ａの鉤形は、短冊状の部材の図２７の紙面の上下方向におけるフック体１１１の鉤形と同じ高さ位置に形成されている。また、上記した第１実施形態と同様にして、両フック体１１１，１１１ａが固定部材１２０の孔１２１に正面（一方）側から挿入されることにより、メダル担持体１１０は固定部材１２０に取着される。そして、固定部材１２０の孔１２１の正面側から挿入されて裏面（他方）側から突出するフック体１１１ａが投入センサ１１５および払出センサ１２５により検出される。
【０１９２】
以上のように、この実施形態では、メダル担持体１１０に設けられたフック体１１１ａが被検出片として機能し、固定部材１２０の孔１２１に正面側から挿入されて裏面側に突出するフック体１１１ａが両センサ１１５，１２５により検出される。したがって、メダル担持体１１０を固定部材１２０に取着するためのフック体１１１ａを被検出片として機能させることにより、被検出片を別途メダル担持体１１０に設ける必要がないので、メダル保持手段１０２の簡素化を図ることができ、投入・払出装置１００の製造コストの低減を図ることができる。
【０１９３】
なお、上記した第２実施形態で説明したメダル担持体１６０のフック体１６１を、図２７に示すフック体１１１ａと同様に構成することにより、フック体１６１が投入・払出センサ１６５により検出されるようにしてもよい。
【０１９４】
＜第４実施形態＞
本発明の第４実施形態について、図２８を参照して説明する。図２８は本発明の第４実施形態にかかる封入式のスロットマシンを備えるスロットマシンシステムを示す図である。
【０１９５】
この実施形態のスロットマシンシステムが上記した第１実施形態と異なるのは、遊技に使用可能なメダル枚数に関する枚数データを保持するデータ保持手段１９０と、データ保持手段１９０から疑似投入枚数分の枚数データを減算する減算手段１９１と、データ保持手段１９０に疑似払出枚数分の枚数データを加算する加算手段１９２とが、スロットマシン１ａの筐体内に配設されている点である。その他の構成および動作については上記した第１実施形態と同様であるため、以下では、上記した第１実施形態と異なる点を中心に説明を行い、上記した第１実施形態と同様の構成および動作については、同一符号を引用することによりその説明は省略する。
【０１９６】
（メダル貸出ユニット）
図２８に示すように、メダル貸出ユニット２００ａのユニット制御装置２４０が備える貸出手段２４２は、スロットマシン１ａに搭載されている貸出スイッチ１２が操作された場合に、所定の貸出枚数の枚数データをＩ／Ｏポートを介してスロットマシン１ａのメイン制御基板３２に送信することにより、遊技者に遊技に使用可能なメダルを枚数データの形式で貸し出すものである。なお、スロットマシン１ａのメイン制御基板３２に送信された枚数データは、データ保持手段１９０により保持される。
【０１９７】
また、返却手段２４５は、スロットマシン１ａに搭載されている返却スイッチ１３が操作された場合に、スロットマシン１ａのデータ保持手段１９０に保持されている遊技に使用可能なメダル枚数に関する枚数データをＩ／Ｏポートを介して受信してメダルカードに記録することにより、遊技者にメダルを枚数データの形式で返却するものである。また、返却手段２４５により遊技者にメダルが枚数データの形式で返却された場合には、スロットマシン１ａのデータ保持手段１９０に保持されている枚数データが初期化される。
【０１９８】
なお、返却スイッチ用センサ１３ａの出力がメイン制御基板３２に出力されるようにしてもよい。この場合には、返却スイッチ用センサ１３ａの検出信号がメイン制御基板３２に入力されると、データ保持手段１９０に保持されている枚数データがメダル貸出ユニット２００ａにＩ／Ｏポートを介して送信されるようにすればよい。
【０１９９】
（スロットマシン）
図２８に示すように、スロットマシン１ａのメイン制御基板に、データ保持手段１９０、減算手段１９１、加算手段１９２が構成されている。
【０２００】
データ保持手段１９０は、遊技に使用可能なメダル枚数に関する枚数データを保持するものであり、メダル貸出ユニット２００ａから送信された貸出枚数に関する枚数データを保持する。また、返却手段２４５によりデータ保持手段１９０に保持された枚数データ分のメダルが枚数データの形式で遊技者に返却された場合には、データ保持手段１９０に保持されている枚数データが初期化される。
【０２０１】
減算手段１９１は、スロットマシン１ａへのメダルの疑似投入枚数分の枚数データをデータ保持手段１９０から減算する。また、加算手段１９２は、スロットマシン１ａからのメダルの疑似払出枚数分の枚数データをデータ保持手段１９０に加算する。
【０２０２】
なお、データ保持手段１９０、減算手段１９１、加算手段１９２を備える制御基板がメイン制御基板３２とは別個に構成されて、スロットマシン１ａに搭載されるようにしてもよい。
【０２０３】
以上のように、この実施形態では、上記した第１実施形態と同様の効果を奏することができる。また、第１実施形態の構成と比較すると、スロットマシン１ａとメダル貸出ユニット２００ａとの通信頻度を低減することができるので、スロットマシン１ａおよび貸出ユニット２０ａ間の通信信号を書き換えるゴト行為を防止することができる。
【０２０４】
なお、本発明は上記した実施形態に限定されるものではなく、その趣旨を逸脱しない限りにおいて上述したもの以外に種々の変更を行うことが可能である。例えば、上記した実施形態では、遊技を行うための所定枚数分の疑似投入が完了することを条件として、スタートスイッチ９の操作が有効化されるように設定されている。しかしながら、例えば最大ベットスイッチ８が操作されたり、ベットスイッチ７の操作が行われたタイミングでスタートスイッチ９の操作が有効化されるようにしてもよい。この場合には、スタートスイッチ９が操作されたタイミングで抽選手段６０において乱数を取得し、各回転リール６Ｌ，６Ｍ，６Ｒが定速回転するまでに抽出された乱数を用いた抽選を行わなければならないという法規制を満足するために、例えば、次のような制御を行うとよい。
【０２０５】
すなわち、スタートスイッチ９が操作されたときに、遊技を行うための所定枚数分の疑似投入が完了していなければ、所定枚数分の疑似投入が完了した後に乱数を用いた役抽選を行い、役抽選が行われた後に各回転リール６Ｌ，６Ｍ，６Ｒを回転開始させるとよい。また、スタートスイッチ９の操作により各回転リール６Ｌ，６Ｍ，６Ｒの回転を開始させるが、所定枚数分の疑似投入が完了して役抽選が終了するまでは各回転リール６Ｌ，６Ｍ，６Ｒが定速回転しないように、回転の初速を遅くしたり、回転加速度を小さくしてもよい。また、所定枚数分の疑似投入が完了するまでの時間を短縮するために、疑似投入に用いられる封入メダルの移動速度をより高速にしてもよい。
【０２０６】
また、遊技者が２枚賭けもしくは３枚賭けを意図して各ベットスイッチ７，８を操作した場合に、遊技者が、２枚分もしくは３枚分の疑似投入が完了する前にスタートスイッチ９を操作した場合には、スタートスイッチ９が操作されたタイミングでの疑似投入枚数に基づいて役抽選を行うようにしてもよい。この場合には、スタートスイッチ９が操作されたタイミング以降の疑似投入は無効となるようにしてもよい。また、遊技者が、２枚分もしくは３枚分の疑似投入が完了する前にスタートスイッチ９を操作した場合に、遊技者の意図通り、２枚賭けもしくは３枚賭けに基づく役抽選を行うようにしてももちろんよい。
【０２０７】
また、上記した投入・払出装置１００，１００ａは疑似投入および疑似払出の両方を行うことができるように構成されているが、疑似投入を行う投入装置と疑似払出を行う払出装置とが個別にスロットマシンに搭載されていてもよい。また、投入制御手段１４０を備える制御基板、または、払出制御手段１５０を備える制御基板、または、投入制御手段１４０および払出制御手段１５０の両方を備える制御基板が、メイン制御基板３２とは別個に構成されて、スロットマシンに搭載されるようにしてもよい。また、各メダル保持手段１０２，１０２ａのうちの少なくとも１つの駆動制御を、メダル貸出ユニット２００，２００ａが行うようにしてもよい。
【０２０８】
また、貸出スイッチ１２および返却スイッチ１３の少なくともいずれか一方がメダル貸出ユニット２００，２００ａに搭載されていてもよい。
【０２０９】
また、疑似投入の際には投入センサ１１５のみを有効化して払出センサ１２５を無効化し、疑似払出の際には払出センサ１２５のみを有効化して投入センサ１１５を無効化してもよい。また、１個のセンサにより疑似投入用のメダル検出手段および疑似払出用のメダル検出手段の両方の機能が実現されるようにしてもよい。
【０２１０】
また、疑似投入または疑似払出の際の各封入メダルの移動方向は上記した例に限定されるものではなく、疑似投入および疑似払出の両方の場合において同方向に各封入メダルが移動するようにしてもよいし、異なる方向に各封入メダルが移動するようにしてもよい。また、疑似投入および疑似払出それぞれの場合の各封入メダルの移動速度が異なるようにしてもよいし、同じ速度で各封入メダルが移動するようにしてもよい。また、メダル保持手段は、少なくとも１枚の封入メダルを保持していればよく、複数のメダル保持手段が配設される場合には、各メダル保持手段が保持する封入メダルの数は同数であってもよいし、異なっていてもよい。
【０２１１】
また、図１８に示す最大ベット処理では、既にメダルが疑似投入されて賭け数が設定されている場合に、一旦、投入精算処理を行い（図１８のステップＳ２０２）、賭け数（疑似投入枚数）を０枚に初期化した後に、再度、疑似投入を行うように構成されている（図１８のステップＳ２０３〜ステップＳ２０８）。しかしながら、この場合に、投入精算処理を行わずに、最大賭け数（疑似投入枚数）を超えない範囲内において、既に設定されている賭け数に加算するように疑似投入を行うようにしてもよい。
【０２１２】
また、図１９に示すベット処理では、ベットスイッチ７が操作されて疑似投入枚数（賭け数）が規定枚数（例えば３枚）に達している場合に（図１９のステップＳ３０８でＹＥＳ）、遊技者の意思により規定枚数の賭け数が設定されたことを尊重して、更なる賭け数の変更を禁止するために、ベットスイッチ７の操作が無効化される（図１９のステップＳ３０９）。しかしながら、この場合に、ベットスイッチ７の操作を無効化せずに、更に賭け数（疑似投入枚数）を変更できるようにしてもよい。
【０２１３】
また上記した実施形態では、遊技可能な賭け数（疑似投入枚数）として、複数の賭け数（例えば、１枚、２枚、３枚）が設定されたスロットマシンを例に挙げて説明しているが、規定の賭け数（例えば３枚）のみが設定されたスロットマシンでもよい。この場合、上記したように、規定枚数のメダルの疑似投入が検出されたタイミングでスタートスイッチ９の操作を有効すればよい。また、１枚のメダルの疑似投入が検出されたタイミングでスタートスイッチ９の操作を有効化し、規定枚数のメダルの疑似投入が検出されたタイミングで役抽選を行うようにしてもよい。
【０２１４】
また、精算スイッチ１１（精算スイッチ用センサ１１ａ）が設けられていなくてもよい。この場合には、例えば、返却スイッチ１３が操作されることにより、一旦、疑似投入された枚数分のメダルの疑似払出が行われて、疑似投入された枚数分の枚数データがデータ保持手段１９０，２４１に加算されるようにするとよい。そして、メダル貸出ユニットの返却手段２４５に、データ保持手段１９０，２４１に保持されている遊技に使用可能なメダル枚数に関する枚数データをメダルカード装置２２０に挿入されたメダルカードに記録させることによって、メダル貸出ユニット２００にメダルを枚数データの形式で遊技者に対して返却させるようにするとよい。
【０２１５】
また、固定部材へのメダル担持体の取着方法は上記したフック体を利用する方法に限らず、ねじでメダル担持体を固定部材に取着したり、接着剤等の粘着手段や面ファスナー、両面テープ等によりメダル担持体が固定部材に取着されていてもよい。すなわち、メダル担持体を固定部材に取着することができれば、メダル担持体を固定部材に取着する方法については特に限定されるものではない。
【０２１６】
また、メダル保持手段のメダル担持体および固定部材の構成については上記した例に限定されるものではなく、メダル担持体により１枚の封入メダルを担持することができ、メダル担持体を固定部材に着脱自在に取着することができれば、メダル保持手段の構成はどのようなものであってもよい。例えば、所定の検出位置を通過可能にその経路が設定されたベルトコンベアにより固定部材を構成し、ベルトコンベアの任意の位置にメダル担持体を取着できるようにすることもできる。
【０２１７】
また、上記した実施形態では、投入・払出装置１００，１００ａはスロットマシンの筐体内に配置されているが、封入メダルＭが確実に投入・払出装置１００，１００ａ内に封入されていれば、投入・払出装置１００，１００ａは、スロットマシンの筐体外にその一部が突出するように配置されていたり、スロットマシンの筐体外に配置されていてもよい。
【０２１８】
そして、所定枚数のメダルが疑似投入されることを条件として遊技が実行されるスロットマシンに本発明を広く適用することができる。
【符号の説明】
【０２１９】
１，１ａ…スロットマシン、６Ｌ，６Ｍ，６Ｒ…回転リール、１０Ｌ，１０Ｍ，１０Ｒ…ストップスイッチ、１００，１００ａ…投入・払出装置（メダル検出装置）、１０２，１０２ａ…メダル保持手段、１１０，１６０…メダル担持体、１１１，１６１…フック体、１１１ａ…フック体（被検出片）、１１２，１６２…被検出片、１１５…投入センサ（メダル検出手段）、１２０，１７０…固定部材、１２１，１７１…孔（取付部）、１２５…払出センサ（メダル検出手段）、１３０…駆動部（駆動制御手段）、１４２…投入メダル計数部（メダル計数手段）、１５２…払出メダル計数部（メダル計数手段）、１６５…投入・払出センサ（メダル検出手段）、Ｍ…封入メダル、Ｐ，Ｐ１，Ｐ２…検出位置
【図１】
2015204955.tif 000003
【図２】
2015204955.tif 000004
【図３】
2015204955.tif 000005
【図４】
2015204955.tif 000006
【図５】
2015204955.tif 000007
【図６】
2015204955.tif 000008
【図７】
2015204955.tif 000009
【図８】
2015204955.tif 000010
【図９】
2015204955.tif 000011
【図１０】
2015204955.tif 000012
【図１１】
2015204955.tif 000013
【図１２】
2015204955.tif 000014
【図１３】
2015204955.tif 000015
【図１４】
2015204955.tif 000016
【図１５】
2015204955.tif 000017
【図１６】
2015204955.tif 000018
【図１７】
2015204955.tif 000019
【図１８】
2015204955.tif 000020
【図１９】
2015204955.tif 000021
【図２０】
2015204955.tif 000022
【図２１】
2015204955.tif 000023
【図２２】
2015204955.tif 000024
【図２３】
2015204955.tif 000025
【図２４】
2015204955.tif 000026
【図２５】
2015204955.tif 000027
【図２６】
2015204955.tif 000028
【図２７】
2015204955.tif 000029
【図２８】
2015204955.tif 000030